(57)【要約】  新規のユーザも手軽に利用できるとともに、眼科医の処方時間を短縮させ又は仮に眼科医の処方がなくとも、ユーザにとって好ましいコンタクトレンズを選択することができるセルフ検眼装置、管理サーバ及びこれを用いたコンタクトレンズ選定システムの提供を目的とする。  本発明のセルフ検眼装置は、ユーザの操作に基づいてこのユーザの角膜形状の少なくとも一部を測定し、この角膜形状に基づく検眼データを取得する検眼データ取得手段と、この検眼データとコンタクトレンズの形状データとに基づき、検眼データに適合するコンタクトレンズを選定した結果を表示するコンタクトレンズ表示手段とを備えている。
2013094030.tif 000002
【特許請求の範囲】
【請求項１】
ユーザの操作に基づいてこのユーザの角膜形状の少なくとも一部を測定し、この角膜形状に基づく検眼データを取得する検眼データ取得手段と、
この検眼データとコンタクトレンズの形状データとに基づき、検眼データに適合するコンタクトレンズを選定した結果を表示するコンタクトレンズ表示手段と
を備えるセルフ検眼装置。
【請求項２】
複数のコンタクトレンズの形状データを蓄積するデータベースと、
上記検眼データと上記データベースに蓄積されるコンタクトレンズの形状データとに基づき、検眼データに適合する一又は複数のコンタクトレンズを選定するコンタクトレンズ選定手段と
を備える請求項１に記載のセルフ検眼装置。
【請求項３】
上記検眼データ取得手段が、検眼データとして上記ユーザの角膜表面の複数箇所における曲率データを取得し、
上記コンタクトレンズ選定手段が、検眼データとして取得された複数箇所の曲率データのうち最大値と最小値とから平均値を算出し、この平均値に基づいてコンタクトレンズを選定する請求項２に記載のセルフ検眼装置。
【請求項４】
上記コンタクトレンズ選定手段が、上記検眼データとして取得された複数箇所の曲率データのうちの最大値から最小値を引いた値に基づく補正を行ったうえでコンタクトレンズを選定する請求項３に記載のセルフ検眼装置。
【請求項５】
上記検眼データ取得手段が、検眼データとして上記ユーザの角膜形状データを取得し、
上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定する請求項２に記載のセルフ検眼装置。
【請求項６】
上記検眼データ取得手段が、上記ユーザの眼屈折率データを取得し、
上記コンタクトレンズ選定手段が、上記眼屈折率データに基づいてコンタクトレンズの度数を決定する請求項２から請求項５のいずれか１項に記載のセルフ検眼装置。
【請求項７】
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定する請求項６に記載のセルフ検眼装置。
【請求項８】
上記コンタクトレンズ表示手段が、上記涙液層の形状を示すフルオレスセインパターンを表示する請求項７に記載のセルフ検眼装置。
【請求項９】
上記コンタクトレンズ選定手段が、上記検眼データ、空間データ及び選択したコンタクトレンズの形状データをもとにコンタクトレンズを装用した状態での屈折値（オーバーレフ値）を計算し、
上記コンタクトレンズ表示手段が、このオーバーレフ値を表示する請求項７又は請求項８に記載のセルフ検眼装置。
【請求項１０】
上記コンタクトレンズ選定手段が、上記オーバーレフ値に基づいて上記コンタクトレンズを装用した際の見え方のシミュレーションを行い、
上記コンタクトレンズ表示手段が、この見え方のシミュレーションの結果を表示する請求項９に記載のセルフ検眼装置。
【請求項１１】
上記検眼データ取得手段が、ユーザの角膜横径データを取得し、
上記コンタクトレンズ選定手段が、この角膜横径データに基づいてコンタクトレンズの直径を決定する請求項２から請求項１０のいずれか１項に記載のセルフ検眼装置。
【請求項１２】
ユーザが希望するコンタクトレンズタイプの入力を受信するコンタクトレンズタイプ受信手段を備え、
上記コンタクトレンズ選定手段が、上記コンタクトレンズタイプ受信手段で受信したコンタクトレンズタイプに合致するコンタクトレンズを選定する請求項２から請求項１１のいずれか１項に記載のセルフ検眼装置。
【請求項１３】
上記コンタクトレンズ表示手段が複数のコンタクトレンズを表示し、
上記コンタクトレンズ表示手段によって表示された複数のコンタクトレンズから任意のコンタクトレンズをユーザに選択させるユーザ選択手段を備える請求項１から請求項１２のいずれか１項に記載のセルフ検眼装置。
【請求項１４】
コンタクトレンズの処方可能な複数の加盟施設に関するデータを表示する加盟施設表示手段と、
上記加盟施設表示手段によって表示された加盟施設から任意の加盟施設をユーザに選択させ、ユーザの操作に基づいてこの加盟施設に対する処方予約を行う処方予約手段と
を備える請求項１から請求項１３のいずれか１項に記載のセルフ検眼装置。
【請求項１５】
上記検眼データ取得手段によって取得された検眼データ及び上記コンタクトレンズ選定手段によって選定されたコンタクトレンズのデータを印字する印字手段を備える請求項２から請求項１４のいずれか１項に記載のセルフ検眼装置。
【請求項１６】
上記コンタクトレンズ選定手段で選定されたコンタクトレンズのデータと上記処方予約手段で予約された加盟施設によって行われた処方に関するデータとの対応を記録する処方データ記録手段を備え、
上記コンタクトレンズ選定手段が、上記処方データ記録手段で記録されたデータに基づいた補正を行ったうえでコンタクトレンズを選定する請求項１４に記載のセルフ検眼装置。
【請求項１７】
上記処方データ記録手段が、上記コンタクトレンズ選定手段で選定されたコンタクトレンズのデータと上記加盟施設によって行われた処方に関するデータとをユーザ識別データと関連づけて記録し、
上記コンタクトレンズ選定手段が、上記処方データ記録手段で記録されたデータに基づいてユーザ毎の補正を行う請求項１６に記載のセルフ検眼装置。
【請求項１８】
上記検眼データ取得手段によって取得された検眼データをユーザ識別データと関連付けてネットワーク送信する検眼データ送信手段を備える請求項１に記載のセルフ検眼装置。
【請求項１９】
上記検眼データ取得手段によって取得された検眼データ及び上記コンタクトレンズ選定手段によって選定されたコンタクトレンズのデータをユーザ識別データと関連付けて処方関連データとしてネットワーク送信する処方関連データ送信手段を備える請求項２から請求項１８のいずれか１項に記載のセルフ検眼装置。
【請求項２０】
上記セルフ検眼装置とネットワーク通信可能な管理サーバであって、
検眼データ及びこの検眼データとコンタクトレンズの形状データとに基づいて選定されたコンタクトレンズのデータをユーザ識別情報と関連付けて処方関連データとして受信する処方関連データ受信手段と、
上記処方関連データ受信手段によって受信した処方関連データに基づいて生成される処方指示書データをネットワーク送信する処方指示書データ送信手段と
を備える管理サーバ。
【請求項２１】
上記セルフ検眼装置とネットワーク通信可能な管理サーバであって、
複数のコンタクトレンズの形状データを蓄積するデータベースを備え、
上記セルフ検眼装置から送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備える管理サーバ。
【請求項２２】
上記検眼データ受信手段が、ユーザの角膜表面の複数箇所における曲率データを受信し、
上記コンタクトレンズ選定手段が、この複数箇所の曲率データのうち最大値と最小値とから平均値を算出し、この平均値に基づいてコンタクトレンズを選定する請求項２１に記載の管理サーバ。
【請求項２３】
上記コンタクトレンズ選定手段が、上記検眼データとして取得された複数箇所の曲率データのうちの最大値から最小値を引いた値に基づく補正を行ったうえでコンタクトレンズを選定する請求項２２に記載の管理サーバ。
【請求項２４】
上記検眼データ受信手段が、ユーザの角膜形状データを受信し、
上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定する請求項２１に記載の管理サーバ。
【請求項２５】
上記検眼データ受信手段が、上記ユーザの眼屈折率データを受信し、
上記コンタクトレンズ選定手段が、上記眼屈折率データに基づいてコンタクトレンズの度数を決定する請求項２１から請求項２４のいずれか１項に記載の管理サーバ。
【請求項２６】
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定する請求項２２から請求項２５のいずれか１項に記載の管理サーバ。
【請求項２７】
上記第一のコンタクトレンズデータ送信手段が、上記涙液層の形状を示すフルオレスセインパターンを上記セルフ検眼装置に送信する請求項２６に記載の管理サーバ。
【請求項２８】
上記コンタクトレンズ選定手段が、上記検眼データ、空間データ及び選択したコンタクトレンズの形状データをもとにコンタクトレンズを装用した状態での屈折値（オーバーレフ値）を計算し、
上記第一のコンタクトレンズデータ送信手段が、このオーバーレフ値を上記セルフ検眼装置に送信する請求項２６又は請求項２７に記載の管理サーバ。
【請求項２９】
上記コンタクトレンズ選定手段が、上記オーバーレフ値に基づいて上記コンタクトレンズを装用した際の見え方のシミュレーションを行い、
上記第一のコンタクトレンズデータ送信手段が、この見え方のシミュレーションの結果データを上記セルフ検眼装置に送信する請求項２８に記載の管理サーバ。
【請求項３０】
上記検眼データ受信手段が、ユーザの角膜横径データを受信し、
上記コンタクトレンズ選定手段が、この角膜横径データに基づいてコンタクトレンズの直径を決定する請求項２１から請求項２９のいずれか１項に記載の管理サーバ。
【請求項３１】
ユーザが希望するコンタクトレンズのコンタクトレンズタイプデータを受信するコンタクトレンズタイプデータ受信手段を備え、
上記コンタクトレンズ選定手段が、上記コンタクトレンズタイプデータに合致するコンタクトレンズを選定する請求項２１から請求項３０のいずれか１項に記載の管理サーバ。
【請求項３２】
上記検眼データ及び上記コンタクトレンズ選定手段によって選定されたコンタクトレンズのデータに基づいて生成される処方指示書データをネットワーク送信する処方指示書データ送信手段を備える請求項２１から請求項３１のいずれか１項に記載の管理サーバ。
【請求項３３】
セルフ検眼装置と、このセルフ検眼装置とネットワーク通信可能な管理サーバとを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信したコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備えるコンタクトレンズ選定システム。
【請求項３４】
上記コンタクトレンズ表示手段が、複数のコンタクトレンズを表示し、
上記セルフ検眼装置が、
上記コンタクトレンズ表示手段によって表示された複数のコンタクトレンズから任意のコンタクトレンズをユーザに選択させるユーザ選択手段と、
上記ユーザ選択手段によって選択されたコンタクトレンズのデータをユーザ識別データと関連付けて上記管理サーバに送信する第二のコンタクトレンズデータ送信手段と
を備え、
上記管理サーバが、
上記第二のコンタクトレンズ送信手段によって送信されたコンタクトレンズのデータ及びユーザ識別データを受信する第二のコンタクトレンズデータ受信手段を備える請求項３３に記載のコンタクトレンズ選定システム。
【請求項３５】
上記セルフ検眼装置が、上記検眼データ取得手段によって取得された検眼データ及び上記第一のコンタクトレンズデータ受信手段によって受信したコンタクトレンズのデータを印字する印字手段を備える請求項３３又は請求項３４に記載のコンタクトレンズ選定システム。
【請求項３６】
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と、
上記検眼データ取得手段によって取得された検眼データ及び上記コンタクトレンズ選定手段によって選定されたコンタクトレンズのデータをユーザ識別データと関連付けて処方関連データとして上記管理サーバに送信する処方関連データ送信手段と
を備え、
上記管理サーバが、
上記処方関連データ送信手段によって送信された処方関連データを受信する処方関連データ受信手段と、
上記処方関連データ受信手段によって受信した処方関連データに基づいて生成される処方指示書データを処方を行う加盟施設の加盟施設端末に送信する処方指示書データ送信手段と
を備え、
上記処方を行う加盟施設の加盟施設端末が、
上記処方指示書データ送信手段によって送信された処方指示書データを受信する処方指示書データ受信手段を備えるコンタクトレンズ選定システム。
【請求項３７】
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信した一又は複数のコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
この検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と、
上記検眼データ受信手段によって受信した検眼データ及び上記コンタクトレンズ選定手段によって選定されたコンタクトレンズのデータに基づいて生成される処方指示書データを処方を行う加盟施設の加盟施設端末に送信する処方指示書データ送信手段と
を備え、
上記処方を行う加盟施設の加盟施設端末が、
上記処方指示書データ送信手段によって送信された処方指示書データを受信する処方指示書データ受信手段を備えるコンタクトレンズ選定システム。
【請求項３８】
上記コンタクトレンズ表示手段が、複数のコンタクトレンズを表示し、
上記セルフ検眼装置が、
上記コンタクトレンズ表示手段によって表示された複数のコンタクトレンズから任意のコンタクトレンズをユーザに選択させるユーザ選択手段と、
上記ユーザ選択手段によって選択されたコンタクトレンズのデータをユーザ識別データと関連付けて上記管理サーバに送信する第二のコンタクトレンズデータ送信手段と
を備え、
上記管理サーバが、
上記第二のコンタクトレンズ送信手段によって送信されたコンタクトレンズのデータ及びユーザ識別データを受信する第二のコンタクトレンズデータ受信手段を備え、
上記処方指示書データ送信手段が、上記第二のコンタクトレンズデータ受信手段によって受信したコンタクトレンズのデータを加味した処方指示書データを送信する請求項３６又は請求項３７に記載のコンタクトレンズ選定システム。
【請求項３９】
上記セルフ検眼装置が、
上記加盟施設端末と関連付けられる加盟施設に関するデータを表示する加盟施設表示手段と、
上記加盟施設表示手段によって表示された加盟施設から任意の加盟施設をユーザに選択させ、ユーザの操作に基づいてこの加盟施設に対する処方予約を行う処方予約手段と
を備える請求項３６、請求項３７又は請求項３８に記載のコンタクトレンズ選定システム。
【請求項４０】
上記管理サーバが、
上記コンタクトレンズ選定手段で選定されたコンタクトレンズのデータと上記処方予約手段で予約された加盟施設によって行われた処方に関するデータとの対応を記録する処方データ記録手段を備え、
上記コンタクトレンズ選定手段が、上記処方データ記録手段で記録されたデータに基づいた補正を行ったうえでコンタクトレンズを選定する請求項３９に記載のコンタクトレンズ選定システム。
【請求項４１】
上記処方データ記録手段が、上記コンタクトレンズ選定手段で選定されたコンタクトレンズのデータと上記加盟施設によって行われた処方に関するデータとをユーザ識別データと関連づけて記録し、
上記コンタクトレンズ選定手段が、上記処方データ記録手段で記録されたデータに基づいてユーザ毎の補正を行う請求項４０に記載のコンタクトレンズ選定システム。
【請求項４２】
上記管理サーバが、上記処方指示書データ送信手段によって送信するコンタクトレンズのデータに対応するコンタクトレンズを上記処方予約手段によって予約された加盟施設に対して配送するための配送手続を行う配送補助手段を備える請求項３９、請求項４０又は請求項４１に記載のコンタクトレンズ選定システム。
【請求項４３】
上記管理サーバが、上記セルフ検眼装置の使用料に対する決済手続を行う使用料決済手段を備える請求項３６から請求項４２のいずれか１項に記載のコンタクトレンズ選定システム。
【請求項４４】
上記管理サーバが、上記セルフ検眼装置の使用料及び上記加盟施設において行われる処方を経て入手されるコンタクトレンズの購入代金を含めたシステム使用料に対し、一括して支払われるものとして決済手続を行うシステム使用料決済手段を備える請求項３９から請求項４２のいずれか１項に記載のコンタクトレンズ選定システム。
【発明の詳細な説明】
【技術分野】
【０００１】
本発明は、コンタクトレンズの容易かつ好適な選定に適したセルフ検眼装置、管理サーバ及びコンタクトレンズ選定システムに関する。
【背景技術】
【０００２】
従来、コンタクトレンズは、近視、遠視、乱視、老視等の種々の視力矯正のために用いられている。また、コンタクトレンズのタイプとしては、レンズの直径（ダイアメータ）が小さく、比較的長期間使用することができるハードタイプや、レンズの直径が大きく、比較的装着しやすいソフトタイプ（使い捨てタイプを含む）が存在している。コンタクトレンズは、ユーザの嗜好や適性に応じて最適のものが選定されることにより、コンタクトレンズの装用による違和感、不快感等のストレスを与えることなく、このユーザの視力を適切に矯正することができる。【０００３】
このようなコンタクトレンズをユーザが購入する場合の手順としては、
（１）ユーザがコンタクトレンズ販売店を訪問し、コンタクトレンズの説明及び診療所の案内を受ける、
（２）ユーザが診療所を訪れ、受付を行い、嗜好するコンタクトレンズの種類や、既往歴、アレルギーの有無、点眼薬の使用等についての問診を受ける、
（３）眼科医が、前眼部や眼底検査、他覚的屈折検査、自覚的屈折検査、角膜曲率半径検査等の検査を行い、この眼科医の判断のもと、このユーザに適したコンタクトレンズの規格を選定する、
（４）トライアルレンズを装着して、レンズのカーブ、度数、直径等の規格を決定する、
（５）眼科医がユーザの装着状態等を確認して指示書を発行する、
（６）ユーザが販売店に指示書を提出し、この指示書に基づいたコンタクトレンズを購入する、
等の手順を踏むのが一般的である。また、コンタクトレンズの再作の場合にも同様の手順を踏むケースが多い。【０００４】
このようなコンタクトレンズの購入手順によると、ユーザがコンタクトレンズを購入するためには、このユーザがコンタクトレンズ販売店を訪問し、診療所を紹介してもらい、この診療所で前眼部や眼底検査、他覚的屈折検査、自覚的屈折検査、角膜曲率半径検査等の種々の検査を受けたうえで、この診療所の眼科医に指示書を作成してもらう、という手順を踏むことが必須とされる。【０００５】
しかしながら、このような手順は、コンタクトレンズを装用するか否かについて決めかねているユーザ等にとっては、煩わしいと感じられるものである。それゆえ、このような手続を嫌ってコンタクトレンズの購入を控えるユーザも存在しており、コンタクトレンズの普及の歯止めとなっていると思われる。【０００６】
また、近年では、ソフトコンタクトレンズ、なかでも使い捨てコンタクトレンズが普及するようになってきている。これに伴い、ハードコンタクトレンズの処方機会の減少が顕著になり、これが招く眼科医の技術水準の低下がみられている。その結果、眼科医が、本来であればハードコンタクトレンズを処方すべきところを、最適なコンタクトレンズの選択を回避してソフトコンタクトレンズを推奨するというケースも懸念されている。【０００７】
このような不都合を解決すべく、例えば医療用品の販売システム（特開２００４−７８６７５号公報参照）が発案されている。この医療用品の販売システムは、診療機関の端末がユーザの電子カルテを蓄積するデータベースを有しているので、このデータベースの検索に基づいてユーザの処方箋を作成することができ、処方手続の簡素化を図ることができる。【０００８】
しかしながら、この医療用品の販売システムによっても、初診のユーザは眼科医を訪れコンタクトレンズ選定のための所定の検査を行う必要があるので、新たなユーザに対してコンタクトレンズを普及させるものとはいえない。また、この医療用品の販売システムによっても、眼科医の技術不足等により、特定のコンタクトレンズ（例えばハードコンタクトレンズ）が推奨されない可能性は存在しており、ユーザにとって最適なコンタクトレンズが処方されないおそれは存在している。
【先行技術文献】
【特許文献】
【０００９】
【特許文献１】特開２００４−７８６７５号公報
【発明の概要】
【発明が解決しようとする課題】
【００１０】
本発明は、このような事情に鑑みてなされたものであり、新規のユーザも手軽に利用できると共に、眼科医の処方時間を短縮させ又は仮に眼科医の処方がなくとも、ユーザにとって好ましいコンタクトレンズを選択することができるセルフ検眼装置、管理サーバ及びこれを用いたコンタクトレンズ選定システムの提供を目的とするものである。
【課題を解決するための手段】
【００１１】
上記課題を解決するためになされた発明は、
ユーザの操作に基づいてこのユーザの角膜形状の少なくとも一部を測定し、この角膜形状に基づく検眼データを取得する検眼データ取得手段と、
この検眼データとコンタクトレンズの形状データとに基づき、検眼データに適合するコンタクトレンズを選定した結果を表示するコンタクトレンズ表示手段と
を備えるセルフ検眼装置である。【００１２】
当該セルフ検眼装置は、ユーザの操作に基づいて検眼データ取得手段が検眼データを取得し、コンタクトレンズ表示手段がこの検眼データに適合するコンタクトレンズのデータを表示することができる。そのため、当該セルフ検眼装置は、新規のユーザであっても自らの操作により手軽に利用することができ、自分に合ったコンタクトレンズを知ることができる。また、当該セルフ検眼装置は、上記検眼データ及び上記コンタクトレンズ表示手段によって表示されたコンタクトレンズのデータを眼科医が使用した場合には、この眼科医の処方時間を短縮することができる。【００１３】
当該セルフ検眼装置は、複数のコンタクトレンズの形状データを蓄積するデータベースと、上記検眼データと上記データベースに蓄積されるコンタクトレンズの形状データとに基づき、検眼データに適合する一又は複数のコンタクトレンズを選定するコンタクトレンズ選定手段とを備えるとよい。当該セルフ検眼装置は、コンタクトレンズ選定手段によって、ユーザに適したコンタクトレンズを選定することができる。当該セルフ検眼装置は、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。【００１４】
上記検眼データ取得手段が、検眼データとして上記ユーザの角膜表面の複数箇所における曲率データを取得し、上記コンタクトレンズ選定手段が、検眼データとして取得された複数箇所の曲率データのうち最大値と最小値とから平均値を算出し、この平均値に基づいてコンタクトレンズを選定するとよい。これにより、ユーザの角膜表面の複数箇所の曲率データを得ることで、このユーザに適したコンタクトレンズを容易かつ迅速に選定することができる。【００１５】
上記コンタクトレンズ選定手段が、上記検眼データとして取得された複数箇所の曲率データのうちの最大値から最小値を引いた値に基づく補正を行ったうえでコンタクトレンズを選定するとよい。これにより、選定されるコンタクトレンズのユーザに対するフィッティング性を向上させることができる。【００１６】
上記検眼データ取得手段が、検眼データとして上記ユーザの角膜形状データを取得し、上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定するとよい。これにより、選定されるコンタクトレンズのユーザに対するフィッティング性をさらに向上させることができる。【００１７】
上記検眼データ取得手段が、上記ユーザの眼屈折率データを取得し、上記コンタクトレンズ選定手段が、上記眼屈折率データに基づいてコンタクトレンズの度数を決定するとよい。これにより、ユーザに適したコンタクトレンズの度数を容易かつ迅速に決定することができる。【００１８】
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定するとよい。これにより、コンタクトレンズ選定手段によって選定されるコンタクトレンズの度数の精度をさらに向上させることができる。【００１９】
上記コンタクトレンズ表示手段が、上記涙液層の形状を示すフルオレスセインパターンを表示するとよい。これにより、ユーザがトライアルレンズを使用することなく、フルオレスセインパターンを確認することができる。また、このような構成によると、コンタクトレンズのフィッティング性をユーザが視覚的に確認することができ、ひいてはユーザの安心感を高めることができる。【００２０】
上記コンタクトレンズ選定手段が、上記検眼データ、空間データ及び選択したコンタクトレンズの形状データをもとにコンタクトレンズを装用した状態での屈折値（オーバーレフ値）を計算し、上記コンタクトレンズ表示手段が、このオーバーレフ値を表示するとよい。これにより、コンタクトレンズ選定手段によって選定されたコンタクトレンズの妥当性をユーザに対して表示することができ、ひいてはユーザの安心感を高めることができる。【００２１】
上記コンタクトレンズ選定手段が、上記オーバーレフ値に基づいて上記コンタクトレンズを装用した際の見え方のシミュレーションを行い、上記コンタクトレンズ表示手段が、この見え方のシミュレーションの結果を表示するとよい。これにより、コンタクトレンズ選定手段によって選定されたコンタクトレンズの妥当性をユーザに対して表示することができ、ユーザの安心感をさらに高めることができる。【００２２】
上記検眼データ取得手段が、ユーザの角膜横径データを取得し、上記コンタクトレンズ選定手段が、この角膜横径データに基づいてコンタクトレンズの直径を決定するとよい。これにより、ユーザに適したコンタクトレンズの直径を容易かつ迅速に選定することができる。【００２３】
ユーザが希望するコンタクトレンズタイプの入力を受信するコンタクトレンズタイプ受信手段を備え、上記コンタクトレンズ選定手段が、上記コンタクトレンズタイプ受信手段で受信したコンタクトレンズタイプに合致するコンタクトレンズを選定するとよい。これにより、ユーザの嗜好を前提としたコンタクトレンズを選定することができる。【００２４】
上記コンタクトレンズ表示手段が複数のコンタクトレンズを表示し、上記コンタクトレンズ表示手段によって表示された複数のコンタクトレンズから任意のコンタクトレンズをユーザに選択させるユーザ選択手段を備えるとよい。これにより、ユーザに適しかつこのユーザが嗜好するコンタクトレンズを容易に選択することができる。【００２５】
コンタクトレンズの処方可能な複数の加盟施設に関するデータを表示する加盟施設表示手段と、上記加盟施設表示手段によって表示された加盟施設から任意の加盟施設をユーザに選択させ、ユーザの操作に基づいてこの加盟施設に対する処方予約を行う処方予約手段とを備えるとよい。これにより、ユーザは、当該セルフ検眼装置によって得られる検眼データ及びこの検眼データに適合するコンタクトレンズのデータを得たうえ、自ら所望する日時を指定して加盟施設に処方予約を入れることができる。従って、当該セルフ検眼装置によれば、ユーザは、自らの都合に合わせて加盟施設を訪れることができ、当該セルフ検眼装置により得られたデータを利用することでこの加盟施設での処方時間を短縮できるとともに、この加盟施設によりさらに精細な処方を受けることができる。また、当該セルフ検眼装置によれば、加盟施設は、当該セルフ検眼装置により得られたデータを用いて技術不足を好適に補完することができる。【００２６】
上記検眼データ取得手段によって取得された検眼データ及び上記コンタクトレンズ選定手段によって選定されたコンタクトレンズのデータを印字する印字手段を備えるとよい。これにより、ユーザは、自らの検眼データ及び自らに適するコンタクトレンズのデータを容易に取得し、かつ保持することができる。従って、当該セルフ検眼装置によれば、ユーザは、自らの検眼データ及び自らに適するコンタクトレンズのデータをいつでも確認することができる。さらに、当該セルフ検眼装置によれば、ユーザは、これらのデータを持参してコンタクトレンズ販売店等を訪れ、所望のコンタクトレンズを購入することができ、またこれらのデータを持参して眼科医等を訪れ、さらに精細な処方を受けることができる。【００２７】
上記コンタクトレンズ選定手段で選定されたコンタクトレンズのデータと上記処方予約手段で予約された加盟施設によって行われた処方に関するデータとの対応を記録する処方データ記録手段を備え、上記コンタクトレンズ選定手段が、上記処方データ記録手段で記録されたデータに基づいた補正を行ったうえでコンタクトレンズを選定するとよい。当該セルフ検眼装置は、処方データ記録手段が、コンタクトレンズ選定手段で選定されたコンタクトレンズのデータと処方予約手段で予約された加盟施設で処方されたコンタクトレンズのデータとを記録する。それゆえ、当該セルフ検眼装置は、コンタクトレンズ選定手段で選定されたコンタクトレンズのデータと処方予約手段で予約された加盟施設で処方されたコンタクトレンズのデータの相違から、コンタクトレンズ選定手段が抱える誤差値を割り出すことができる。従って、当該セルフ検眼装置は、コンタクトレンズ選定手段が、かかる誤差値に基づいた補正を行うことにより、選定されるコンタクトレンズのフィッティング性を向上させることができる。【００２８】
上記処方データ記録手段が、上記コンタクトレンズ選定手段で選定されたコンタクトレンズのデータと上記加盟施設によって行われた処方に関するデータとをユーザ識別データと関連づけて記録し、上記コンタクトレンズ選定手段が、上記処方データ記録手段で記録されたデータに基づいてユーザ毎の補正を行うとよい。これにより、当該セルフ検眼装置を複数回使用したユーザに対し、コンタクトレンズ選定手段によって選定されるコンタクトレンズのフィッティング性をさらに向上させることができる。【００２９】
当該セルフ検眼装置は、上記検眼データ取得手段によって取得された検眼データをユーザ識別データと関連付けてネットワーク送信する検眼データ送信手段を備えるとよい。当該セルフ検眼装置は、検眼データ送信手段によって、このセルフ検眼装置とネットワーク通信可能な外部装置に検眼データ及びユーザ識別データを送信することができる。その結果、当該セルフ検眼装置は、かかる外部装置を用いてこのユーザに適したコンタクトレンズを選定することができる。【００３０】
当該セルフ検眼装置は、上記検眼データ取得手段によって取得された検眼データ及び上記コンタクトレンズ選定手段によって選定されたコンタクトレンズのデータをユーザ識別データと関連付けて処方関連データとしてネットワーク送信する処方関連データ送信手段を備えるとよい。当該セルフ検眼装置は、処方関連データ送信手段が処方関連データをネットワーク送信することができる。それゆえ、当該セルフ検眼装置によると、ユーザの処方を行う眼科医等は、処方関連データ送信手段によって送信される処方関連データを所定の装置で受信したうえ、この処方関連データを利用して処方を行うことができる。従って、当該セルフ検眼装置によると、眼科医の処方時間を短縮することができるとともに、この眼科医によってさらに詳細な処方を行うことができる。また、当該セルフ検眼装置によると、処方関連データ送信手段によって送信される処方関連データを基に、眼科医の処方を要せずにユーザに適したコンタクトレンズを選択又は入手することもできる。さらに、当該セルフ検眼装置は、処方関連データをユーザが保有するパソコン等に送信するようにすれば、検眼データやコンタクトレンズのデータ及びかかる検眼データやコンタクトレンズのデータの変遷等をユーザ自身に容易に閲覧、管理等させることができ、ひいてはこのユーザに対して自らの眼情報に対する意識を向上させることができる。【００３１】
また、上記課題を解決するためになされた別の発明は、
上記セルフ検眼装置とネットワーク通信可能な管理サーバであって、
検眼データ及びこの検眼データとコンタクトレンズの形状データとに基づいて選定されたコンタクトレンズのデータをユーザ識別情報と関連付けて処方関連データとして受信する処方関連データ受信手段と、
上記処方関連データ受信手段によって受信した処方関連データに基づいて生成される処方指示書データをネットワーク送信する処方指示書データ送信手段と
を備える管理サーバである。【００３２】
当該管理サーバは、処方指示書データ送信手段が、処方関連データ受信手段によって受診した処方関連データに基づいて生成される処方指示書データをネットワーク送信することができる。従って、当該管理サーバは、処方指示書データ送信手段によって送信される処方指示書データを処方を行う眼科医等が利用することにより、ユーザの処方時間を短縮するとともに、このユーザに対してさらに精細な処方を行うことができる。また、当該管理サーバによると、処方指示書データを所定のコンタクトレンズ販売店等に送信することによって、眼科医の処方を要せずにユーザに適したコンタクトレンズを選択又は入手することもできる。【００３３】
また、上記セルフ検眼装置とネットワーク通信可能な管理サーバであって、複数のコンタクトレンズの形状データを蓄積するデータベースを備え、上記セルフ検眼装置から送信された検眼データ及びユーザ識別データを受信する検眼データ受信手段と、上記検眼データと上記データベースに蓄積されるコンタクトレンズの形状データとに基づき、検眼データに適合する一又は複数のコンタクトレンズを選定するコンタクトレンズ選定手段と、上記コンタクトレンズ選定手段によって選定されたコンタクトレンズのデータを上記セルフ検眼装置に送信する第一のコンタクトレンズデータ送信手段とを備える管理サーバは、データベースに蓄積される複数のコンタクトレンズの形状データに基づいてユーザに適合する一又は複数のコンタクトレンズを選定することができる。当該管理サーバは、データベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。【００３４】
当該管理サーバは、上記検眼データ受信手段が、ユーザの角膜表面の複数箇所における曲率データを受信し、上記コンタクトレンズ選定手段が、この複数箇所の曲率データのうち最大値と最小値とから平均値を算出し、この平均値に基づいてコンタクトレンズを選定するとよい。これにより、ユーザの角膜表面の複数箇所の曲率データを得ることで、このユーザに適したコンタクトレンズを容易かつ迅速に選定することができる。【００３５】
当該管理サーバは、上記コンタクトレンズ選定手段が、上記検眼データとして取得された複数箇所の曲率データのうちの最大値から最小値を引いた値に基づく補正を行ったうえでコンタクトレンズを選定するとよい。これにより、選定されるコンタクトレンズのユーザに対するフィッティング性を向上させることができる。【００３６】
当該管理サーバは、上記検眼データ受信手段が、ユーザの角膜形状データを受信し、上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定するとよい。これにより、選定されるコンタクトレンズのユーザに対するフィッティング性をさらに向上させることができる。【００３７】
当該管理サーバは、上記検眼データ受信手段が、上記ユーザの眼屈折率データを受信し、上記コンタクトレンズ選定手段が、上記眼屈折率データに基づいてコンタクトレンズの度数を決定するとよい。これにより、ユーザに適したコンタクトレンズの度数を容易かつ迅速に決定することができる。【００３８】
当該管理サーバは、上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定するとよい。これにより、コンタクトレンズ選定手段によって選定されるコンタクトレンズの度数の精度をさらに向上させることができる。【００３９】
当該管理サーバは、上記第一のコンタクトレンズデータ送信手段が、上記涙液層の形状を示すフルオレスセインパターンを上記セルフ検眼装置に送信するとよい。当該管理サーバは、第一のコンタクトレンズデータ送信手段によって送信されたフルオレスセインパターンを、このフルオレスセインパターンを受信したセルフ検眼装置に表示させることによってユーザに視認させることができる。その結果、当該管理サーバによると、ユーザはトライアルレンズを使用することなく、フルオレスセインパターンを確認することができる。また、このような構成によると、コンタクトレンズのフィッティング性をユーザが視覚的に確認することができ、ひいてはユーザの安心感を高めることができる。【００４０】
当該管理サーバは、上記コンタクトレンズ選定手段が、上記検眼データ、空間データ及び選択したコンタクトレンズの形状データをもとにコンタクトレンズを装用した状態での屈折値（オーバーレフ値）を計算し、上記第一のコンタクトレンズデータ送信手段が、このオーバーレフ値を上記セルフ検眼装置に送信するとよい。これにより、第一のコンタクトレンズデータ送信手段によって送信されたオーバーレフ値を受信したセルフ検眼装置によって、このオーバーレフ値を表示することができる。その結果、当該管理サーバは、コンタクトレンズ選定手段によって選定されたコンタクトレンズの妥当性をユーザに対して表示することができ、ひいてはユーザの安心感を高めることができる。【００４１】
当該管理サーバは、上記コンタクトレンズ選定手段が、上記オーバーレフ値に基づいて上記コンタクトレンズを装用した際の見え方のシミュレーションを行い、上記第一のコンタクトレンズデータ送信手段が、この見え方のシミュレーションの結果データを上記セルフ検眼装置に送信するとよい。これにより、第一のコンタクトレンズデータ送信手段によって送信されたシミュレーションの結果データを受信したセルフ検眼装置によって、このシミュレーションの結果を表示することができる。その結果、当該管理サーバは、ユーザの安心感をさらに高めることができる。【００４２】
当該管理サーバは、上記検眼データ受信手段が、ユーザの角膜横径データを受信し、上記コンタクトレンズ選定手段が、この角膜横径データに基づいてコンタクトレンズの直径を決定するとよい。これにより、ユーザに適したコンタクトレンズの直径を容易かつ迅速に選定することができる。【００４３】
当該管理サーバは、ユーザが希望するコンタクトレンズのコンタクトレンズタイプデータを受信するコンタクトレンズタイプデータ受信手段を備え、上記コンタクトレンズ選定手段が、上記コンタクトレンズタイプデータに合致するコンタクトレンズを選定するとよい。これにより、ユーザの嗜好を前提としたコンタクトレンズを選定することができる。【００４４】
当該管理サーバは、上記検眼データ及び上記コンタクトレンズ選定手段によって選定されたコンタクトレンズのデータに基づいて生成される処方指示書データをネットワーク送信する処方指示書データ送信手段を備えるとよい。これにより、コンタクトレンズの処方の容易性、的確性、迅速性を向上させることができる。【００４５】
上記課題を解決するためになされたさらに別の発明は、
セルフ検眼装置と、このセルフ検眼装置とネットワーク通信可能な管理サーバとを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信したコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備えるコンタクトレンズ選定システムである。【００４６】
当該コンタクトレンズ選定システムは、新規のユーザであっても自らの操作により手軽に利用することができ、自分に合ったコンタクトレンズを知ることができる。また、当該コンタクトレンズ選定システムは、上記検眼データ及び上記コンタクトレンズ表示手段によって表示されたコンタクトレンズのデータを眼科医が使用した場合には、この眼科医の処方時間を短縮することができる。当該コンタクトレンズ選定システムは、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。【００４７】
当該コンタクトレンズ選定システムは、上記コンタクトレンズ表示手段が、複数のコンタクトレンズを表示し、上記セルフ検眼装置が、上記コンタクトレンズ表示手段によって表示された複数のコンタクトレンズから任意のコンタクトレンズをユーザに選択させるユーザ選択手段と、上記ユーザ選択手段によって選択されたコンタクトレンズのデータをユーザ識別データと関連付けて上記管理サーバに送信する第二のコンタクトレンズデータ送信手段とを備え、上記管理サーバが、上記第二のコンタクトレンズ送信手段によって送信されたコンタクトレンズのデータ及びユーザ識別データを受信する第二のコンタクトレンズデータ受信手段を備えるとよい。これにより、ユーザに適しかつこのユーザが嗜好するコンタクトレンズを容易に選択することができる。【００４８】
当該コンタクトレンズ選定システムは、上記セルフ検眼装置が、上記検眼データ取得手段によって取得された検眼データ及び上記第一のコンタクトレンズデータ受信手段によって受信したコンタクトレンズのデータを印字する印字手段を備えるとよい。これにより、ユーザは、自らの検眼データ及び自らに適するコンタクトレンズのデータを容易に取得し、かつ保持することができる。従って、当該コンタクトレンズ選定システムによれば、ユーザは、自らの検眼データ及び自らに適するコンタクトレンズのデータをいつでも確認することができる。さらに、当該コンタクトレンズ選定システムによれば、ユーザはこれらのデータを持参してコンタクトレンズ販売店等を訪れ、所望のコンタクトレンズを購入することができ、またこれらのデータを持参して眼科医等を訪れ、さらに詳細な処方を受けることができる。【００４９】
上記課題を解決するためのコンタクトレンズ選定システムとしては、
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と、
上記検眼データ取得手段によって取得された検眼データ及び上記コンタクトレンズ選定手段によって選定されたコンタクトレンズのデータをユーザ識別データと関連付けて処方関連データとして上記管理サーバに送信する処方関連データ送信手段と
を備え、
上記管理サーバが、
上記処方関連データ送信手段によって送信された処方関連データを受信する処方関連データ受信手段と、
上記処方関連データ受信手段によって受信した処方関連データに基づいて生成される処方指示書データを処方を行う加盟施設の加盟施設端末に送信する処方指示書データ送信手段と
を備え、
上記処方を行う加盟施設の加盟施設端末が、
上記処方指示書データ送信手段によって送信された処方指示書データを受信する処方指示書データ受信手段を備えるコンタクトレンズ選定システムも用いられる。【００５０】
当該コンタクトレンズ選定システムは、新規のユーザであっても自らの操作により手軽に利用することができ、自分に合ったコンタクトレンズを知ることができる。当該コンタクトレンズ選定システムは、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。当該コンタクトレンズ選定システムは、処方指示書データ送信手段によって送信される処方指示書データを処方を行う加盟施設が利用するようにすれば、ユーザの処方時間の短縮及びこのユーザに対する処方の高度化を図ることができるとともに、このユーザのコンタクトレンズの購入手続をスムーズに行うことができる。【００５１】
また、セルフ検眼装置と、このセルフ検眼装置とネットワーク通信可能な管理サーバと、このセルフ検眼装置及び管理サーバとネットワーク通信可能な複数の加盟施設端末とを備え、上記セルフ検眼装置が、ユーザの操作に基づいてこのユーザの角膜形状の少なくとも一部を測定し、この角膜形状に基づく検眼データを取得する検眼データ取得手段と、上記検眼データ取得手段によって取得された検眼データをユーザ識別データと関連付けて上記管理サーバに送信する検眼データ送信手段と、この検眼データとコンタクトレンズの形状データとに基づいて選定されたコンタクトレンズのデータを上記管理サーバから受信する第一のコンタクトレンズデータ受信手段と、上記第一のコンタクトレンズデータ受信手段によって受信した一又は複数のコンタクトレンズのデータを表示するコンタクトレンズ表示手段とを備え、上記管理サーバが、複数のコンタクトレンズの形状データを蓄積するデータベースと、上記検眼データ送信手段によって送信された検眼データ及びユーザ識別データを受信する検眼データ受信手段と、この検眼データと上記データベースに蓄積されるコンタクトレンズの形状データとに基づき、検眼データに適合する一又は複数のコンタクトレンズを選定するコンタクトレンズ選定手段と、上記コンタクトレンズ選定手段によって選定されたコンタクトレンズのデータを上記セルフ検眼装置に送信する第一のコンタクトレンズデータ送信手段と、上記検眼データ受信手段によって受信した検眼データ及び上記コンタクトレンズ選定手段によって選定されたコンタクトレンズのデータに基づいて生成される処方指示書データを処方を行う加盟施設の加盟施設端末に送信する処方指示書データ送信手段とを備え、上記処方を行う加盟施設の加盟施設端末が、上記処方指示書データ送信手段によって送信された処方指示書データを受信する処方指示書データ受信手段を備えるコンタクトレンズ選定システムは、新規のユーザであっても自らの操作により手軽に利用することができ、自分に合ったコンタクトレンズを知ることができる。当該コンタクトレンズ選定システムは、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。当該コンタクトレンズ選定システムは、処方指示書データ送信手段によって送信される処方指示書データを処方を行う加盟施設が利用するようにすれば、ユーザの処方時間の短縮及びこのユーザに対する処方の高度化を図ることができるとともに、このユーザのコンタクトレンズの購入手続をスムーズに行うことができる。【００５２】
当該コンタクトレンズ選定システムは、上記コンタクトレンズ表示手段が、複数のコンタクトレンズを表示し、上記セルフ検眼装置が、上記コンタクトレンズ表示手段によって表示された複数のコンタクトレンズから任意のコンタクトレンズをユーザに選択させるユーザ選択手段と、上記ユーザ選択手段によって選択されたコンタクトレンズのデータをユーザ識別データと関連付けて上記管理サーバに送信する第二のコンタクトレンズデータ送信手段とを備え、上記管理サーバが、上記第二のコンタクトレンズ送信手段によって送信されたコンタクトレンズのデータ及びユーザ識別データを受信する第二のコンタクトレンズデータ受信手段を備え、上記処方指示書データ送信手段が、上記第二のコンタクトレンズデータ受信手段によって受信したコンタクトレンズのデータを加味した処方指示書データを送信するとよい。これにより、ユーザの嗜好を加味した処方指示書データを作成したうえで加盟施設に送信することができる。従って、当該コンタクトレンズ選定システムによると、加盟施設はユーザの嗜好を加味したコンタクトレンズの選定を容易に行うことができる。【００５３】
当該コンタクトレンズ選定システムは、上記セルフ検眼装置が、上記加盟施設端末と関連付けられる加盟施設に関するデータを表示する加盟施設表示手段と、上記加盟施設表示手段によって表示された加盟施設から任意の加盟施設をユーザに選択させ、ユーザの操作に基づいてこの加盟施設に対する処方予約を行う処方予約手段とを備えるとよい。これにより、ユーザは、自ら所望する日時を指定して加盟施設に処方予約を入れることができる。当該コンタクトレンズ選定システムは、処方予約手段によって予約された加盟施設が処方指示書データ受信手段で受信した処方指示書データを利用することにより、ユーザの処方待ち時間及び処方時間を短縮できるとともに、この加盟施設によりさらに精細な処方を行うことができる。【００５４】
当該コンタクトレンズ選定システムは、上記管理サーバが、上記コンタクトレンズ選定手段で選定されたコンタクトレンズのデータと上記処方予約手段で予約された加盟施設によって行われた処方に関するデータとの対応を記録する処方データ記録手段を備え、上記コンタクトレンズ選定手段が、上記処方データ記録手段で記録されたデータに基づいた補正を行ったうえでコンタクトレンズを選定するとよい。当該コンタクトレンズ選定システムは、処方データ記録手段が、コンタクトレンズ選定手段で選定されたコンタクトレンズのデータと処方予約手段で予約された加盟施設で処方されたコンタクトレンズのデータとを記録する。それゆえ、当該コンタクトレンズ選定システムは、コンタクトレンズ選定手段で選定されたコンタクトレンズのデータと処方予約手段で予約された加盟施設で処方されたコンタクトレンズのデータの相違から、コンタクトレンズ選定手段が抱える誤差値を割り出すことができる。従って、当該コンタクトレンズ選定システムは、コンタクトレンズ選定手段が、かかる誤差値に基づいた補正を行うことにより、選定されるコンタクトレンズのフィッティング性を向上させることができる。【００５５】
当該コンタクトレンズ選定システムは、上記処方データ記録手段が、上記コンタクトレンズ選定手段で選定されたコンタクトレンズのデータと上記加盟施設によって行われた処方に関するデータとをユーザ識別データと関連づけて記録し、上記コンタクトレンズ選定手段が、上記処方データ記録手段で記録されたデータに基づいてユーザ毎の補正を行うとよい。これにより、当該コンタクトレンズ選定システムを複数回使用したユーザに対し、コンタクトレンズ選定手段によって選定されるコンタクトレンズのフィッティング性をさらに向上させることができる。【００５６】
当該コンタクトレンズ選定システムは、上記管理サーバが、上記処方指示書データ送信手段によって送信するコンタクトレンズのデータに対応するコンタクトレンズを上記処方予約手段によって予約された加盟施設に対して配送するための配送手続を行う配送補助手段を備えるとよい。これにより、ユーザが購入する可能性が高いコンタクトレンズを予め加盟施設に配送することができ、ひいてはユーザによるコンタクトレンズ購入手続をさらにスムーズに行うことができる。また、当該コンタクトレンズ選定システムによると、加盟施設側から必要なコンタクトレンズを発注しなくてもよいので、加盟施設におけるコンタクトレンズの在庫管理の容易化を図ることができる。【００５７】
当該コンタクトレンズ選定システムは、上記管理サーバが、上記セルフ検眼装置の使用料に対する決済手続を行う使用料決済手段を備えるとよい。これにより、ユーザの支払手続をスムーズに行うことができる。【００５８】
当該コンタクトレンズ選定システムは、上記管理サーバが、上記セルフ検眼装置の使用料及び上記加盟施設において行われる処方を経て入手されるコンタクトレンズの購入代金を含めたシステム使用料に対し、一括して支払われるものとして決済手続を行うシステム使用料決済手段を備えるとよい。これにより、ユーザの支払手続を適性時期に一括して行うことができ、ひいては決済手続の効率化を図ることができる。
【発明の効果】
【００５９】
以上説明したように、本発明のセルフ検眼装置は、新規のユーザでも手軽に利用することができる。本発明のセルフ検眼装置、管理サーバ及びこれらを用いたコンタクトレンズ選定システムは、眼科医の処方時間を短縮させ又は仮に眼科医の処方がなくとも、ユーザにとって好ましいコンタクトレンズを容易かつ確実に選定することができる。
【図面の簡単な説明】
【００６０】
【図１】本発明の一実施形態に係るセルフ検眼装置を示す概略ブロック図である。
【図２】図１のセルフ検眼装置を示す模式的斜視図である。
【図３】図１のセルフ検眼装置の動作手順を示すフローチャートである。
【図４】本発明の一実施形態に係るコンタクトレンズ選定システムを示す概略ブロック図である。
【図５】図４のコンタクトレンズ選定システムとは異なる形態に係るコンタクトレンズ選定システムを示す概略ブロック図である。
【図６】図５のコンタクトレンズ選定システムにおける処方データの一例を示す図である。
【図７】図５のコンタクトレンズ選定システムの動作手順を示すシーケンス図である。
【図８】図４、図５のコンタクトレンズ選定システムとは異なる形態に係るコンタクトレンズ選定システムを示す概略ブロック図である。
【図９】図８のコンタクトレンズ選定システムの動作手順を示すシーケンス図である。
【図１０】図４、図５及び図８のコンタクトレンズ選定システムとは異なる形態に係るコンタクトレンズ選定システムを示す概略ブロック図である。
【図１１】図１０のコンタクトレンズ選定システムにおける処方データの一例を示す図である。
【図１２】図１０のコンタクトレンズ選定システムの動作手順を示すシーケンス図である。
【発明を実施するための形態】
【００６１】
以下、適宜図面を参照しつつ、本発明の実施の形態を詳説する。
【００６２】
図１のセルフ検眼装置１は、検眼データ取得手段２と、コンタクトレンズ表示手段３と、コンタクトレンズ選定手段４と、ユーザ選択手段５と、印字手段６と、データベース７とを有している。
【００６３】
セルフ検眼装置１は、図２に示すように、基礎データ測定端末１０１と、ユーザ操作端末１０２とを有している。基礎データ測定端末１０１とユーザ操作端末１０２とはシステムとして連動しており、データ送受信可能に構成されている。基礎データ測定端末１０１は、角膜形状測定装置と、屈折率測定装置と、解析装置とを有している（いずれも図示せず）。基礎データ測定端末１０１は、角膜形状測定装置、屈折率測定装置及び解析装置によってユーザの角膜形状や眼屈折率を測定する。ユーザ操作端末１０２は、タッチパネル１０３と、排紙部１０４とを有している。セルフ検眼装置１は、一般的には、コンタクトレンズ販売店、眼科施設、駅、コンビニエンスストア等の内外等に設置される。セルフ検眼装置１は、通常、ブース（図示せず）内に設置されており、かかるブースによってユーザの操作等が周囲から視認されるのを防止している。椅子１０５は回転自在に構成されている。ユーザは、椅子１０５に座り、タッチパネル１０３への入力を介して所定の指示等をセルフ検眼装置１に与える。タッチパネル１０３は、ユーザにとって必要な情報を表示するとともに、ユーザからの入力を受け付ける。排紙部１０４は、ユーザの指示に従い、所定のデータが印字された用紙を排紙する。かかる排紙処理手続は、ユーザ操作端末１０２が内蔵するプリンタ（図示せず）によって行われる。ユーザ操作端末１０２は、ユーザが使用料を投入するための使用料投入口（図示せず）を有している。セルフ検眼装置１は、所定の使用料を徴収したユーザに対してこの使用料に対応したサービスを提供する。また、基礎データ測定端末１０１及びユーザ操作端末１０２は、各々ＣＰＵを内蔵している。このＣＰＵは、タッチパネル１０３から与えられるユーザの指示等に従い、この指示内容が反映されるように各部を制御する。
【００６４】
検眼データ取得手段２は、角膜形状測定装置と、屈折率測定装置と、解析装置と、ＣＰＵとを含んでいる。検眼データ取得手段２は、ユーザの操作に基づいてこのユーザの角膜形状の少なくとも一部を測定し、この角膜形状に基づく検眼データを取得する。具体的には、検眼データ取得手段２は、ユーザから検眼データを取得する旨の指示がタッチパネル１０３の押下を通して伝えられると、角膜形状測定装置によって、このユーザの角膜表面の複数箇所における曲率データを検眼データとして取得する。かかる曲率データは、角膜中心付近の３〜８箇所において測定されたものであってもよく、またそれ以上の箇所を含んで測定されたものであってもよい。また、検眼データ取得手段２は、角膜形状測定装置によって、ユーザの角膜横径を測定し、角膜横径データを取得する。さらに、検眼データ取得手段２は、ユーザの操作に基づいて、屈折率測定装置によって、自覚又は他覚によりユーザの眼屈折率を測定し、眼屈折率データを取得する。
【００６５】
コンタクトレンズ表示手段３は、タッチパネル１０３と、ＣＰＵとを含んでいる。コンタクトレンズ表示手段３は、検眼データ取得手段２によって取得された検眼データとデータベース７に記録されたコンタクトレンズの形状データ８とに基づき、検眼データに適合するコンタクトレンズを選定した結果を表示する。具体的には、コンタクトレンズ表示手段３は、コンタクトレンズ選定手段４によって選定された一又は複数のコンタクトレンズについて、これらのコンタクトレンズの形状データ８や、コンタクトレンズの形状データ８と関連付けてデータベース７に蓄積されている商品名、品番、値段等のコンタクトレンズの商品データ（図示せず）を、データベース７から取得してタッチパネル１０３に表示させる。また、コンタクトレンズ表示手段３は、後述するようにコンタクトレンズ選定手段４がユーザの角膜表面とコンタクトレンズの裏面との間に形成される涙液層のデータを取得している場合、この涙液層の形状を示すフルオレスセインパターンをタッチパネル１０３に表示させる。さらに、コンタクトレンズ表示手段３は、後述するように、コンタクトレンズ選定手段４がコンタクトレンズを装用した状態での屈折値（オーバーレフ値）を計算している場合、このオーバーレフ値をタッチパネル１０３に表示させる。加えて、コンタクトレンズ表示手段３は、コンタクトレンズ選定手段４がコンタクトレンズを装用した際の見え方のシミュレーションを行っている場合、この見え方のシミュレーションの結果をタッチパネル１０３に表示させる。
【００６６】
コンタクトレンズ選定手段４は、ＣＰＵを含んでいる。コンタクトレンズ選定手段４は、検眼データ取得手段２によって取得される検眼データとデータベース７に蓄積されるコンタクトレンズの形状データ８とに基づき、この検眼データに適合する一又は複数のコンタクトレンズを選定する。具体的には、まず、コンタクトレンズ選定手段４は、検眼データ取得手段２によって取得されるユーザの角膜表面の複数箇所の曲率データのうち最大値と最小値とを抽出し、この最大値と最小値とから平均値を算出する。一方、データベース７には、コンタクトレンズの形状データ８として、コンタクトレンズ毎に定められた経験定数が記録されている。コンタクトレンズ選定手段４は、上記曲率データのうち最大値と最小値との平均値と、データベース７に記録されている複数のコンタクトレンズ経験定数とを掛け合わせることによってこのユーザに適したコンタクトレンズのベースカーブを選定する。当該セルフ検眼装置１は、コンタクトレンズ選定手段４がユーザの角膜表面の複数箇所の曲率データの平均値に基づいてコンタクトレンズを選定することができる。従って、当該セルフ検眼装置１は、ユーザの角膜表面の複数箇所の曲率データを得ることで、このユーザに適したコンタクトレンズを容易かつ迅速に選定することができる。また、コンタクトレンズ選定手段４は、検眼データとして取得された複数箇所の曲率データのうちの最大値から最小値を引いた値（補正値）に基づく補正を行ったうえでコンタクトレンズを選定してもよい。このようなコンタクトレンズの選定方法としては、ユーザの角膜表面の複数箇所の曲率データのうちの最大値と最小値とから平均値を算出し、この平均値とコンタクトレンズ毎に定められた経験定数とを掛け合わせたうえ、補正値を加える方法が挙げられる。このように、ユーザの角膜表面の複数箇所の曲率データのうちの最大値から最小値を引いた値に基づく補正を行うようにすれば、ユーザの角膜表面の凹凸等を考慮したコンタクトレンズを選定することができ、選定されるコンタクトレンズのユーザに対するフィッティング性を向上させることができる。なお、「経験定数」とは、臨床経験から得られた数字（臨床経験から一定の公式を導き出し、この公式に基づいて処方を行い得られた数値）を分析して導き出したものである。
【００６７】
また、コンタクトレンズ選定手段４は、検眼データ取得手段２によって取得された眼屈折率データに基づいて、球面度数、乱視度数等コンタクトレンズの度数を決定する。当該検眼装置１は、コンタクトレンズ選定手段４が眼屈折率データに基づいてコンタクトレンズの度数を決定することによって、ユーザに適したコンタクトレンズの度数を容易かつ迅速に決定することができる。また、コンタクトレンズ選定手段４は、ユーザの角膜表面の複数箇所における曲率データと、コンタクトレンズの形状データ８としてデータベース７に記録されているコンタクトレンズのベースカーブのデータから、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装用時の全体の収差のシミュレーションを行い、かかるシミュレーションの結果に基づいてユーザに適したコンタクトレンズの球面度数、乱視度数を決定する方法が挙げられる。当該検眼装置１は、このように涙液層の形状を加味してコンタクトレンズの度数を決定することによって、コンタクトレンズ選定手段４によって選定されるコンタクトレンズの度数の精度をさらに向上させることができる。
【００６８】
さらに、コンタクトレンズ選定手段４は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段４は、このオーバーレフ値に基づいて、このコンタクトレンズを装用した際の見え方のシミュレーションを行ってもよい。このようなシミュレーションは、公知の眼光学系のシミュレーション手段によって行うことができる。
【００６９】
また、コンタクトレンズ選定手段４は、検眼データ取得手段２によって取得されたユーザの角膜横径データに基づいてコンタクトレンズの直径を決定する。例えば、コンタクトレンズ選定手段４は、ハードタイプのコンタクトレンズの場合、検眼データ取得手段２によって取得された角膜横径データの値から１．５〜２．５ｍｍ程度引いた値をコンタクトレンズの直径として決定する。当該セルフ検眼装置１は、このように、検眼データ取得手段２によって取得された角膜横径データに基づいてコンタクトレンズの直径を決定することによって、ユーザに適したコンタクトレンズの直径を容易かつ迅速に選定することができる。
【００７０】
なお、データベース７が、コンタクトレンズの形状データ８として、複数のコンタクトレンズのベベルの形状を蓄積し、コンタクトレンズ選定手段４が、かかるベベルの形状を加味してコンタクトレンズを選定してもよい。
【００７１】
ユーザ選択手段５は、タッチパネル１０３と、ＣＰＵとを含んでいる。ユーザ選択手段５は、コンタクトレンズ表示手段３によって表示された複数のコンタクトレンズから任意のコンタクトレンズをユーザに選択させる。具体的には、まず、ユーザ選択手段５は、ユーザが選択可能な複数のコンタクトレンズのデータをコンタクトレンズ表示手段３に表示させる。コンタクトレンズ表示手段３は、かかるコンタクトレンズのデータをタッチパネル１０３に表示させる。ユーザ選択手段５は、タッチパネル１０３を介してユーザから所定のコンタクトレンズを選択した旨の入力を受け付ける。なお、ユーザによって選択されるコンタクトレンズは一つであってもよく、複数であってもよい。
【００７２】
印字手段６は、プリンタと、ＣＰＵとを含んでいる。印字手段６は、検眼データ取得手段２によって取得された検眼データ及びコンタクトレンズ選定手段４によって選定されたコンタクトレンズのデータを印字する。印字手段６は、タッチパネル１０３を介してユーザから、検眼データ取得手段２によって取得された検眼データ及びコンタクトレンズ選定手段４によって選定されたコンタクトレンズのデータの印字指示を受けると、これらのデータを所定の用紙に印字する。印字手段６によって印字されたデータは、排紙部１０４から排紙される。なお、印字手段６は、必ずしも検眼データ及びコンタクトレンズのデータを共に印字する必要はなく、ユーザの選択や、サービス内容等により、検眼データのみ又はコンタクトレンズのデータのみを印字してもよい。さらに、印字手段６はユーザ選択手段５によって選択されたコンタクトレンズのデータを印字するようにしてもよい。また、印字手段６は、印画手段を備えていてもよい。
【００７３】
データベース７は、複数のコンタクトレンズについての直径、ベースカーブ、度数、中心厚み、経験定数、ベベルの形状等、コンタクトレンズの形状に関するデータが記録されたコンタクトレンズの形状データ８を有している。コンタクトレンズの形状データ８としては、ソフトコンタクトレンズ、ハードコンタクトレンズ等、種々のコンタクトレンズの形状データ８が記録されている。また、データベース７には、コンタクトレンズの形状データ８と対応するコンタクトレンズの商品名、品番、値段等、コンタクトレンズの商品情報を示す商品データがコンタクトレンズの形状データ８と関連付けて記録されている。
【００７４】
図３を参照して、セルフ検眼装置１の動作手順について説明する。
【００７５】
検眼データ取得ステップ（ＳＴＰ１）は、ユーザの操作に基づいてこのユーザの角膜形状の少なくとも一部を測定し、この角膜形状に基づく検眼データを取得するステップである。ＳＴＰ１は、検眼データ取得手段２によって行われる。検眼データ取得手段２は、タッチパネル１０３を介してユーザから検眼データの取得指示を受けると、角膜形状測定装置によって、このユーザの角膜表面の複数箇所における曲率データを検眼データとして取得する。また、検眼データ取得手段２は、角膜形状測定装置によって、ユーザの角膜横径を測定し、角膜横径データを取得する。さらに、検眼データ取得手段２は、ユーザの操作に基づいて、屈折率測定装置によって、自覚又は他覚によりユーザの眼屈折率を測定し、眼屈折率データを取得する。
【００７６】
コンタクトレンズ選定ステップ（ＳＴＰ２）は、ＳＴＰ１で取得された検眼データとデータベース７に蓄積されるコンタクトレンズの形状データ８とに基づき、この検眼データに適合する一又は複数のコンタクトレンズを選定するステップである。ＳＴＰ２は、コンタクトレンズ選定手段４によって行われる。まず、ＳＴＰ２では、コンタクトレンズ選定手段４が、ＳＴＰ１で取得されたユーザの角膜表面の複数箇所の曲率データのうち最大値と最小値とを抽出し、この最大値と最小値とから平均値を算出する。一方、データベース７には、コンタクトレンズの形状データ８として、コンタクトレンズ毎に定められた経験定数が記録されている。コンタクトレンズ選定手段４は、上記曲率データのうち最大値と最小値との平均値と、データベース７に記録されている複数のコンタクトレンズ経験定数とを掛け合わせることによってこのユーザに適したコンタクトレンズのベースカーブを選定する。また、コンタクトレンズ選定手段４は、検眼データとして取得された複数箇所の曲率データのうちの最大値から最小値を引いた値（補正値）に基づく補正を行ったうえでコンタクトレンズを選定してもよい。このようなコンタクトレンズの選定方法としては、ユーザの角膜表面の複数箇所の曲率データのうちの最大値と最小値とから平均値を算出し、この平均値とコンタクトレンズ毎に定められた経験定数とを掛け合わせたうえ、補正値を加える方法が挙げられる。
【００７７】
また、コンタクトレンズ選定手段４は、検眼データ取得手段２によって取得された眼屈折率データに基づいて、球面度数、乱視度数等コンタクトレンズの度数を決定する。この際、コンタクトレンズ選定手段４は、ユーザの角膜表面の複数箇所における曲率データと、コンタクトレンズの形状データ８としてデータベース７に記録されているコンタクトレンズのベースカーブのデータから、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【００７８】
さらに、コンタクトレンズ選定手段４は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段４は、このオーバーレフ値に基づいて、このコンタクトレンズを装用した際の見え方のシミュレーションを行ってもよい。
【００７９】
また、コンタクトレンズ選定手段４は、検眼データ取得手段２によって取得されたユーザの角膜横径データに基づいてコンタクトレンズの直径を決定する。例えば、コンタクトレンズ選定手段４は、ハードタイプのコンタクトレンズの場合、検眼データ取得手段２によって取得された角膜横径データの値から１．５〜２．５ｍｍ程度引いた値をコンタクトレンズの直径として決定する。
【００８０】
なお、データベース７が、コンタクトレンズの形状データ８として、複数のコンタクトレンズのベベルの形状を蓄積し、コンタクトレンズ選定手段４が、かかるベベルの形状を加味してコンタクトレンズを選定してもよい。
【００８１】
コンタクトレンズ表示ステップ（ＳＴＰ３）は、ＳＴＰ２で選定されたコンタクトレンズのデータを表示するステップである。ＳＴＰ３は、コンタクトレンズ表示手段３によって行われる。ＳＴＰ３では、コンタクトレンズ表示手段３がＳＴＰ２によって選定された一又は複数のコンタクトレンズについて、これらのコンタクトレンズの形状データ８や、コンタクトレンズの形状データ８と関連付けてデータベース７に蓄積されている商品データをタッチパネル１０３に表示させる。また、ＳＴＰ２でユーザの角膜表面とコンタクトレンズの裏面との間に形成される涙液層のデータが取得されている場合、ＳＴＰ３では、この涙液層の形状を示すフルオレスセインパターンをタッチパネル１０３に表示させる。さらに、ＳＴＰ３では、ＳＴＰ２でユーザがコンタクトレンズを装用した状態での屈折値（オーバーレフ値）を計算している場合、このオーバーレフ値をタッチパネル１０３に表示させる。加えて、ＳＴＰ３では、ＳＴＰ２でコンタクトレンズを装用した際の見え方のシミュレーションを行っている場合、この見え方のシミュレーションの結果をタッチパネル１０３に表示させる。
【００８２】
ユーザ選択ステップ（ＳＴＰ４）は、ＳＴＰ３で表示された複数のコンタクトレンズから任意のコンタクトレンズをユーザに選択させるステップである。ＳＴＰ４は、ユーザ選択手段５によって行われる。ユーザ選択手段５は、まず、ユーザが選択可能な複数のコンタクトレンズのデータをコンタクトレンズ表示手段３に表示させる。コンタクトレンズ表示手段３は、かかるコンタクトレンズのデータをタッチパネル１０３に表示させる。ユーザ選択手段５は、タッチパネル１０３を介してユーザから所定のコンタクトレンズを選択した旨の入力を受け付ける。なお、ユーザ選択手段５がユーザから入力を受け付けるコンタクトレンズの数は一つであってもよく複数であってもよい。また、ＳＴＰ３で表示されたコンタクトレンズが１つであった場合は、ＳＴＰ４は省略されてもよい。
【００８３】
印字ステップ（ＳＴＰ５）は、ＳＴＰ１で取得された検眼データ及びＳＴＰ２で選定されたコンタクトレンズのデータを印字するステップである。ＳＴＰ５は、印字手段６によって行われる。印字手段６は、タッチパネル１０３を介してユーザから、ＳＴＰ１で取得された検眼データ及びＳＴＰ２で選定されたコンタクトレンズのデータの印字指示を受けると、これらのデータを所定の用紙に印字する。印字手段６によって印字されたデータは、排紙部１０４から排紙される。なお、ＳＴＰ５では、必ずしも検眼データ及びコンタクトレンズのデータを共に印字する必要はなく、ユーザの選択や、サービス内容等により、検眼データのみ又はコンタクトレンズのデータのみを印字してもよい。さらに、ＳＴＰ５では、ユーザ選択手段５によって選択されたコンタクトレンズのデータを印字するようにしてもよい。
【００８４】
当該セルフ検眼装置１は、ユーザの操作に基づいて検眼データ取得手段２が検眼データを取得し、コンタクトレンズ表示手段３がこの検眼データに適合するコンタクトレンズのデータを表示することができる。そのため、当該セルフ検眼装置１は、新規のユーザであっても自らの操作により手軽に利用することができ、自分に合ったコンタクトレンズを知ることができる。また、当該セルフ検眼装置１は、検眼データ及びコンタクトレンズ表示手段３によって表示されたコンタクトレンズのデータを眼科医が使用した場合には、この眼科医の処方時間を短縮することができる。
【００８５】
当該セルフ検眼装置１は、コンタクトレンズ選定手段４によって、ユーザに適したコンタクトレンズを選定することができる。当該セルフ検眼装置１は、データベース７に蓄積される複数のコンタクトレンズの形状データ８をもとにコンタクトレンズ選定手段４がユーザに適合する一又は複数のコンタクトレンズを選定するので、データベース７に、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。つまり、近年では、ソフトコンタクトレンズ、なかでも使い捨てコンタクトレンズが普及しており、これに伴いハードコンタクトレンズの処方機会の減少が顕著になり、これが招く眼科医の技術水準の低下がみられている。これに対し、当該セルフ検眼装置１は、データベース７にソフトコンタクトレンズ、ハードコンタクトレンズ等、種々のコンタクトレンズの形状データを蓄積することができ、かかるコンタクトレンズのデータをもとにユーザに適したハードコンタクトレンズを選定することができる。従って、当該セルフ検眼装置１によれば、ハードコンタクトレンズの処方に不慣れな眼科医であっても、コンタクトレンズ選定手段４の選定に基づいてユーザに適したハードコンタクトレンズを処方することができる。
【００８６】
当該セルフ検眼装置１は、コンタクトレンズ表示手段３が涙液層の形状を示すフルオレスセインパターンを表示することができるので、ユーザがトライアルレンズを使用することなく、このフルオレスセインパターンを確認することができる。また、このような構成によると、コンタクトレンズのフィッティング性をユーザが視覚的に確認することができ、ひいてはユーザの安心感を高めることができる。
【００８７】
当該セルフ検眼装置１は、コンタクトレンズ選定手段４がコンタクトレンズを装用した状態での屈折値（オーバーレフ値）を計算し、コンタクトレンズ表示手段３が、このオーバーレフ値を表示することができるので、コンタクトレンズ選定手段４によって選定されたコンタクトレンズの妥当性をユーザに対して表示することができ、ひいてはユーザの安心感を高めることができる。
【００８８】
当該セルフ検眼装置１は、コンタクトレンズ選定手段４が、オーバーレフ値に基づいてコンタクトレンズを装用した際の見え方のシミュレーションを行い、コンタクトレンズ表示手段３が、この見え方のシミュレーション結果を表示することができるので、コンタクトレンズ選定手段４によって選定されたコンタクトレンズの妥当性をユーザに対して表示することができ、ユーザの安心感をさらに高めることができる。
【００８９】
当該セルフ検眼装置１は、コンタクトレンズ表示手段３によって表示された複数のコンタクトレンズから任意のコンタクトレンズをユーザに選択させるユーザ選択手段５を備えているので、ユーザに適し、かつこのユーザが嗜好するコンタクトレンズを容易に選択することができる。
【００９０】
当該セルフ検眼装置１は、印字手段６を有しているので、ユーザは、自らの検眼データ及び自らに適するコンタクトレンズのデータを容易に取得し、かつ保持することができる。従って、当該セルフ検眼装置１によれば、ユーザは、自らの検眼データ及び自らに適するコンタクトレンズのデータをいつでも確認することができる。さらに、当該セルフ検眼装置１によれば、ユーザは、これらのデータを持参してコンタクトレンズ販売店等を訪れ、所望のコンタクトレンズを購入することができ、またこれらのデータを持参して眼科医等を訪れ、さらに精細な処方を受けることができる。
【００９１】
図４のコンタクトレンズ選定システム１１は、セルフ検眼装置１２と、ネットワーク１３と、管理サーバ１４とを有している。コンタクトレンズ選定システム１１では、実際には、セルフ検眼装置１２は複数存在している。しかし、図４では、煩雑さ回避のため、１個についてのみ図示する。また、以下の説明において、図１のセルフ検眼装置１と同様の構成については、同一番号を付して適宜説明を省略する。
【００９２】
セルフ検眼装置１２は、通信手段１５と、検眼データ取得手段２と、コンタクトレンズ表示手段３と、コンタクトレンズタイプ受信手段１６と、コンタクトレンズ選定手段１７と、ユーザ選択手段５と、印字手段６と、データベース１８とを有している。また、セルフ検眼装置１２は、図２のセルフ検眼装置１と同様、基礎データ測定端末１０１とユーザ操作端末１０２とを有している。
【００９３】
通信手段１５は、セルフ検眼装置１２と管理サーバ１４等の外部装置との間におけるネットワーク通信を制御する。通信手段１５は、検眼データ取得手段２によって取得された検眼データ及びコンタクトレンズ選定手段４によって選定されたコンタクトレンズのデータを、データベース１８に蓄積されているこのユーザのユーザ識別データ２０と関連付けて処方関連データとして管理サーバ１４やその他の外部装置に送信する（処方関連データ送信手段）。また、通信手段１５は、ユーザ選択手段５によって選択されたコンタクトレンズのデータを、データベース１８に蓄積されるこのユーザのユーザ識別データ２０と関連付けて管理サーバ１４に送信する。
【００９４】
コンタクトレンズタイプ受信手段１６は、タッチパネル１０３と、ＣＰＵとを含んでいる。コンタクトレンズタイプ受信手段１６は、ユーザが希望するコンタクトレンズタイプの入力を受け付ける。具体的には、コンタクトレンズタイプ受信手段１６は、ハードタイプ、ソフトタイプといった一般的な視力補正用コンタクトレンズの種類、終日装用、連続装用、オケージョナルユース等の装用様式、使い捨て、定期交換、長期使用等の使用期間、また遠近両用や円錐角膜用、おしゃれ用等の使用用途等のコンタクトレンズタイプについてタッチパネル１０３を介してユーザの要望を受け付ける。コンタクトレンズタイプ受信手段１６は、これらのコンタクトレンズタイプをタッチパネル１０３に表示させ、ユーザに選択させることによってこのユーザの要望を受け付けてもよく、タッチパネル１０３を介してユーザから直接入力を受け付けることによってこのユーザの要望を受け付けてもよい。
【００９５】
コンタクトレンズ選定手段１７は、ＣＰＵを含んでいる。コンタクトレンズ選定手段１７は、検眼データ取得手段２によって取得される検眼データとデータベース１８に蓄積されるコンタクトレンズの形状データ８とに基づき、この検眼データに適合する一又は複数のコンタクトレンズを選定する。また、コンタクトレンズ選定手段１７は、コンタクトレンズタイプ受信手段１６で受け付けたコンタクトレンズタイプに合致するコンタクトレンズを選定する。具体的には、データベース１８には、上述のようなコンタクトレンズタイプを示すコンタクトレンズタイプデータ１９がコンタクトレンズの形状データ８と関連付けて蓄積されている。詳細には、データベース１８には、コンタクトレンズ形状データ８に記録されている各々のコンタクトレンズが、いずれのタイプのコンタクトレンズであるかが分かるようにコンタクトレンズタイプデータ１９と関連付けて蓄積されている。コンタクトレンズ選定手段１７は、コンタクトレンズタイプデータ１９及びコンタクトレンズの形状データ８を参照し、コンタクトレンズタイプ受信手段１６によって受け付けたコンタクトレンズタイプに合致するコンタクトレンズの中からユーザに適するコンタクトレンズを選定する。なお、コンタクトレンズ選定手段１７によって行われるコンタクトレンズのベースカーブ、度数、直径等の選定方法については、コンタクトレンズ選定手段４と同様である。
【００９６】
データベース１８は、コンタクトレンズの形状データ８と、コンタクトレンズタイプデータ１９と、ユーザ識別データ２０とを有している。ユーザ識別データ２０としては、各ユーザを一意に識別するためのユーザＩＤ、このユーザＩＤに対応するユーザの氏名、生年月日、住所、既往歴、口座番号等が関連付けて記録されている。ユーザの氏名、生年月日、住所、既往歴、口座番号等は、ユーザがセルフ検眼装置１２の初回利用時にタッチパネル１０３を介して入力等することによって、ユーザに対して任意に設定されるユーザＩＤと関連付けて記録される。また、検眼データ取得手段２、コンタクトレンズタイプ受信手段１６、コンタクトレンズ選定手段１７及びユーザ選択手段５によって取得等された検眼データやコンタクトレンズのデータは、これらのデータに対応するユーザのユーザ識別データ２０と関連付けられてデータベース１８に記録されている。通信手段１５によって送信されるユーザ識別データとしては、典型的には、ユーザＩＤを挙げることができるが、このユーザＩＤと関連付けて記録されているデータについても必要に応じて適宜送信されてよい。
【００９７】
ネットワーク１３は、典型的にはインターネットである。ネットワーク１３は、セルフ検眼装置１２と管理サーバ１４とを接続可能に構成されている。
【００９８】
管理サーバ１４は、通信手段２１を有している。管理サーバ１４は、一つのコンピュータから構成されてもよく、複数のコンピュータから構成されてもよい。また、管理サーバ１４は、所定の入力装置等を備えていてもよい。通信手段２１は、管理サーバ１４とセルフ検眼装置１２等の外部装置との間におけるネットワーク通信を制御する。通信手段２１は、処方関連データ送信手段によって送信された処方関連データを受信する（処方関連データ受信手段）。また、通信手段２１は、ユーザ選択手段５によって選択されたコンタクトレンズのデータ及びこのユーザのユーザ識別データ２０をセルフ検眼装置１２から受信する。
【００９９】
当該セルフ検眼装置１２は、コンタクトレンズ選定手段１７がコンタクトレンズタイプ受信手段１６で受信したコンタクトレンズタイプに合致するコンタクトレンズを選定するので、ユーザの嗜好を前提としたコンタクトレンズを選定することができる。
【０１００】
当該セルフ検眼装置１２は、処方関連データ送信手段が処方関連データをネットワーク送信することができる。それゆえ、当該セルフ検眼装置１２によると、ユーザの処方を行う眼科医等は、処方関連データ送信手段によって送信される処方関連データを所定の装置で受信したうえ、この処方関連データを利用して処方を行うことができる。従って、当該セルフ検眼装置１２によると、眼科医の処方時間を短縮することができるとともに、この眼科医によってさらに詳細な処方を行うことができる。また、当該セルフ検眼装置１２によると、処方関連データ送信手段によって送信される処方関連データを基に、眼科医の処方を要せずにユーザに適したコンタクトレンズを選択又は入手することもできる。さらに、当該セルフ検眼装置１２は、処方関連データをユーザが保有するパソコン等に送信するようにすれば、検眼データやコンタクトレンズのデータ及びかかる検眼データやコンタクトレンズのデータの変遷等をユーザ自身に容易に閲覧、管理等させることができ、ひいてはこのユーザに対して自らの眼情報に対する意識を向上させることができる。
【０１０１】
図５のコンタクトレンズ選定システム３１は、セルフ検眼装置３２と、ネットワーク３３と、管理サーバ３４と、加盟施設端末３５とを有している。コンタクトレンズ選定システム３１では、実際には、セルフ検眼装置３２及び加盟施設端末３５は複数存在している。しかし、図５では、煩雑さ回避のため、各１個についてのみ図示する。また、以下の説明において、図１のセルフ検眼装置１及び図４のコンタクトレンズ選定システム１１と同様の構成については、同一番号を付して適宜説明を省略する。
【０１０２】
セルフ検眼装置３２は、通信手段３６と、検眼データ取得手段２と、表示手段３７と、コンタクトレンズタイプ受信手段１６と、コンタクトレンズ選定手段３９と、ユーザ選択手段５と、処方予約手段４０と、印字手段４１と、処方データ記録手段４２と、問診手段５０と、データベース４３とを有している。セルフ検眼装置３２は、図２のセルフ検眼装置１と同様、基礎データ測定端末１０１とユーザ操作端末１０２とを有している。
【０１０３】
通信手段３６は、セルフ検眼装置３２と管理サーバ３４及び加盟施設端末３５等の外部装置との間におけるネットワーク通信を制御する。通信手段３６は、検眼データ取得手段２によって取得された検眼データ及びコンタクトレンズ選定手段３９によって選定されたコンタクトレンズのデータを、データベース４３に蓄積されているこのユーザのユーザ識別データ２０と関連付けて処方関連データとして管理サーバ３４やその他の外部装置に送信する（処方関連データ送信手段）。また、通信手段３６は、ユーザ選択手段５によって選択されたコンタクトレンズのデータを、データベース４３に蓄積されるこのユーザのユーザ識別データ２０と関連付けて管理サーバ３４に送信する（第二のコンタクトレンズデータ送信手段）。
【０１０４】
表示手段３７は、コンタクトレンズ表示手段３と、加盟施設表示手段３８とを有している。表示手段３７は、タッチパネル１０３と、ＣＰＵとを含んでいる。加盟施設表示手段３８は、コンタクトレンズの処方可能な複数の加盟施設に関するデータを表示させる。具体的には、加盟施設表示手段３８は、ユーザから処方可能な加盟施設を表示する旨の指示がタッチパネル１０３の押下を通じて伝えられると、後述するデータベース４３に蓄積される加盟施設データ４４を基に、加盟施設端末３５と関連付けられている加盟施設に関するデータをタッチパネル１０３に表示させる。
【０１０５】
コンタクトレンズ選定手段３９は、ＣＰＵを含んでいる。コンタクトレンズ選定手段３９は、コンタクトレンズタイプ受信手段１６で受け付けたコンタクトレンズタイプに合致するコンタクトレンズを選定する。コンタクトレンズ選定手段３９がコンタクトレンズタイプ受信手段１６で受け付けたコンタクトレンズタイプに合致するコンタクトレンズを選定する方法は、コンタクトレンズ選定手段１７と同様である。また、コンタクトレンズ選定手段３９は、処方データ記録手段４２で記録されたデータに基づいた補正を行ったうえでコンタクトレンズを選定する。具体的には、コンタクトレンズ選定手段３９は、まず、検眼データ取得手段２によって取得されるユーザの角膜表面の複数箇所の曲率データ中のうち最大値と最小値とを抽出し、この最大値と最小値とから平均値を算出する。コンタクトレンズ選定手段３９は、上記曲率データのうち最大値と最小値との平均値と、コンタクトレンズの形状データ８として記録されている複数のコンタクトレンズの経験定数とを掛け合わせることによってこのユーザに適したコンタクトレンズのベースカーブを選定（一次選定）する。なお、コンタクトレンズ選定手段３９は、検眼データとして取得された複数箇所の曲率データのうちの最大値から最小値を引いた値（補正値）に基づく補正を行ったうえでベースカーブを選定してもよい。このようなベースカーブの選定方法としては、ユーザの角膜表面の複数箇所の曲率データのうちの最大値と最小値とから平均値を算出し、この平均値とコンタクトレンズ毎に定められた経験定数とを掛け合わせたうえ、補正値を加える方法が挙げられる。
【０１０６】
また、コンタクトレンズ選定手段３９は、検眼データ取得手段２によって取得された眼屈折率データに基づいて、球面度数、乱視度数等コンタクトレンズの度数を決定する。また、コンタクトレンズ選定手段３９は、ユーザの角膜表面の複数箇所における曲率データと、コンタクトレンズの形状データ８としてデータベース４３に記録されているコンタクトレンズのベースカーブのデータから、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【０１０７】
さらに、コンタクトレンズ選定手段３９は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段３９は、このオーバーレフ値に基づいて、このコンタクトレンズを装用した際の見え方のシミュレーションを行ってもよい。
【０１０８】
また、コンタクトレンズ選定手段３９は、検眼データ取得手段２によって取得されたユーザの角膜横径データに基づいてコンタクトレンズの直径を決定する。例えば、コンタクトレンズ選定手段３９は、ハードタイプのコンタクトレンズの場合、検眼データ取得手段２によって取得された角膜横径データの値から１．５〜２．５ｍｍ程度引いた値をコンタクトレンズの直径として決定する。
【０１０９】
なお、データベース４３が、コンタクトレンズの形状データ８として、複数のコンタクトレンズのベベルの形状を蓄積し、コンタクトレンズ選定手段３９が、かかるベベルの形状を加味してコンタクトレンズを選定してもよい。
【０１１０】
続いて、コンタクトレンズ選定手段３９は、過去に行われた処方結果の蓄積である処方データ４５に基づき、一次選定されたコンタクトレンズのベースカーブの値と、加盟施設で実際に最終的に処方決定されたコンタクトレンズのベースカーブの値との誤差の平均を算出する。かかる誤差の平均は、処方データ４５に記録されている誤差４５ａの平均を算出することによって求められる。コンタクトレンズ選定手段３９は、一次選定されたコンタクトレンズのベースカーブの値に、かかる誤差の平均値分の補正を行い、ユーザに適合する最終的な一又は複数のコンタクトレンズを選定（最終選定）する。なお、このような補正は、コンタクトレンズのベースカーブの他、度数、直径等について行ってもよい。
【０１１１】
処方予約手段４０は、タッチパネル１０３と、ＣＰＵとを含んでいる。処方予約手段４０は、コンタクトレンズの処方可能な複数の加盟施設に関するデータを加盟施設表示手段３８に表示させる。加盟施設表示手段３８は、かかる加盟施設に関するデータをタッチパネル１０３に表示させる。処方予約手段４０は、タッチパネル１０３を介してユーザから所定の加盟施設を選択した旨の入力を受け付けると、この加盟施設の処方可能日時をタッチパネル１０３に表示させる。処方予約手段４０は、タッチパネル１０３に表示される処方可能日時のうちユーザに選択された日時をこのユーザの処方予約日として受け付ける。なお、加盟施設の処方予約状況等を示すデータは、セルフ検眼装置３２に保管されていてもよく、管理サーバ３４等の他の装置に保管されていてもよい。処方予約手段４０によって選択された日時は、少なくとも管理サーバ３４及び処方予約された加盟施設端末３５に対して通知されるか、又は管理サーバ３４及び処方予約された加盟施設端末３５から自由に閲覧できるように設定される。
【０１１２】
印字手段４１は、プリンタと、ＣＰＵとを含んでいる。印字手段４１は、検眼データ取得手段２によって取得された検眼データ及びコンタクトレンズ選定手段３９によって選定されたコンタクトレンズのデータを印字する。印字手段４１は、タッチパネル１０３を介してユーザから、検眼データ取得手段２によって取得された検眼データ及びコンタクトレンズ選定手段３９によって選定されたコンタクトレンズのデータの印字指示を受けると、これらのデータを所定の用紙に印字する。印字手段４１によって印字されたデータは、排紙部１０４から排紙される。また、印字手段４１は、ユーザ選択手段５によって選択されたコンタクトレンズのデータを印字してもよく、処方予約手段４０によって予約された処方予約日時を印字してもよい。印字手段４１は、印画手段を備えていてもよい。
【０１１３】
処方データ記録手段４２は、ＣＰＵを含んでいる。処方データ記録手段４２は、コンタクトレンズ選定手段３９で選定されたコンタクトレンズのデータと処方予約手段４０で予約された加盟施設によって行われた処方に関するデータとの対応を記録する。具体的には、処方データ記録手段４２は、まず、コンタクトレンズ選定手段３９で一次選定されたコンタクトレンズのベースカーブの値（一次選定値）をこのユーザのユーザＩＤ及びセルフ検眼装置３２が保有する検眼装置ＩＤと関連付けてデータベース４３に記録する。次に、処方データ記録手段４２は、処方予約手段４０によって予約された加盟施設において処方決定されたコンタクトレンズのベースカーブの値（処方決定値）及びこの加盟施設の加盟施設ＩＤを加盟施設端末３５から受け付け、先に記録されたユーザ識別ＩＤ、検眼装置ＩＤ及び一次選定値と関連付けてデータベース４３に記録する。処方データ記録手段４２で記録されたこれらのデータは、処方データ４５としてデータベース４３に蓄積される。
【０１１４】
問診手段５０は、タッチパネル１０３と、ＣＰＵとを含んでいる。問診手段５０は、一定期間内に当該コンタクトレンズ選定システム３１を利用してコンタクトレンズを処方又は購入したユーザに対するコンタクトレンズ購入手続の簡素化を図る。具体的には、問診手段５０は、所定期間内に当該コンタクトレンズ選定システム３１を利用してコンタクトレンズを処方又は購入したユーザに対して、タッチパネル１０３を介して問診データを表示させる。この問診データとしては、予めデータベース４３に蓄積された問診データ（図示せず）や管理サーバ３４から送信される問診データ（図示せず）が用いられる。問診手段５０は、問診に対するユーザの回答をタッチパネル１０３を介して受け付ける。問診手段５０は、ユーザの回答が所定の条件を満たしている場合、このユーザのユーザＩＤと、このユーザが前回処方されたコンタクトレンズのデータとを関連付けて管理サーバ３４に送信する。なお、管理サーバ３４によって受信されたユーザＩＤ及びコンタクトレンズのデータは、配送補助手段４７に送られる。
【０１１５】
データベース４３は、コンタクトレンズの形状データ８と、コンタクトレンズタイプデータ１９と、ユーザ識別データ２０と、加盟施設データ４４と、処方データ４５とを有している。
【０１１６】
加盟施設データ４４としては、各加盟施設を一意に識別するための加盟施設ＩＤ、この加盟施設ＩＤに対応する加盟施設名、住所、連絡先、この加盟施設に所属する眼科医、コンタクトレンズ料金を含む料金体系、口座番号等が関連付けて記録されている。
【０１１７】
処方データ４５としては、コンタクトレンズ選定手段３９で選定（一次選定）されたコンタクトレンズのデータと処方予約手段４０で予約された加盟施設によって行われた処方に関するデータとの対応が記録されている。具体的には、図６に示すように、処方データ４５には、行毎に、特定のユーザのユーザＩＤと、このユーザが使用したセルフ検眼装置３２を識別するための検眼装置ＩＤと、このユーザが処方予約手段４０によって予約した加盟施設を識別するための加盟施設ＩＤと、セルフ検眼装置３２のコンタクトレンズ選定手段３９によって一次選定されたコンタクトレンズのベースカーブの値（一次選定値）と、処方予約手段４０によって予約した加盟施設で処方決定されたコンタクトレンズのベースカーブの値（処方決定値）と、一次選定値及び処方決定値の誤差４５ａとがこの順で格納されている。なお、処方データ４５としては、コンタクトレンズのベースカーブの他、コンタクトレンズの度数、直径等が含まれていてもよい。
【０１１８】
ネットワーク３３は、典型的にはインターネットである。ネットワーク３３は、セルフ検眼装置３２と管理サーバ３４と加盟施設端末３５とを接続可能に構成されている。
【０１１９】
管理サーバ３４は、通信手段４６と、配送補助手段４７と、使用料決済手段４８とを有している。管理サーバ３４は、一つのコンピュータから構成されてもよく、複数のコンピュータから構成されてもよい。また、管理サーバ３４は、所定の入力装置等を備えていてもよい。
【０１２０】
通信手段４６は、管理サーバ３４とセルフ検眼装置３２及び加盟施設端末３５等の外部装置との間におけるネットワーク通信を制御する。通信手段４６は、セルフ検眼装置３２から処方関連データ送信手段によって送信された処方関連データを受信する（処方関連データ受信手段）。また、通信手段４６は、処方関連データ受信手段によって受信した処方関連データに基づいて生成される処方指示書データを処方を行う加盟施設の加盟施設端末３５等に送信する（処方指示書データ送信手段）。通信手段４６は、第二のコンタクトレンズ送信手段によって送信されたコンタクトレンズのデータ及びユーザ識別データを受信する（第二のコンタクトレンズデータ受信手段）。
【０１２１】
配送補助手段４７は、ＣＰＵを含んでいる。配送補助手段４７は、処方指示書データ送信手段によって送信するコンタクトレンズのデータに対応するコンタクトレンズを処方予約手段４０によって予約された加盟施設に対して配送するための配送手続を行う。具体的には、まず、配送補助手段４７は、管理サーバ３４で管理されるコンタクトレンズの在庫（コンタクトレンズの在庫データについては図示せず）であって、処方指示書データ送信手段で送信される処方指示書で推奨されるコンタクトレンズの在庫を確認する。次に、配送補助手段４７は、処方指示書データ送信手段によって送信される処方指示書で推奨されるコンタクトレンズの在庫がある場合、この在庫を配送数量を差し引いた数量に修正したうえ、コンタクトレンズを処方予約手段４０によって予約された加盟施設端末３５と関連付けられる加盟施設に所定数量の在庫を配送するための配送手続を行う。
【０１２２】
なお、配送補助手段４７は、問診手段５０から、所定の条件を満たしたユーザＩＤ及びこのユーザが前回処方されたコンタクトレンズのデータが送信された場合、このコンタクトレンズのデータに対応するコンタクトレンズをこのユーザに対して配送するための配送手続を行う。
【０１２３】
使用料決済手段４８は、ＣＰＵを含んでいる。使用料決済手段４８は、セルフ検眼装置３２の使用料に対する決済手続を行う。使用料決済手段４８は、ユーザが利用したセルフ検眼装置３２のサービス内容に対応する額の使用料の徴収手続をこのユーザに対して行う。
【０１２４】
加盟施設端末３５は、通信手段４９を有している。通信手段４９は、処方指示書データ送信手段によって管理サーバ３４から送信された処方指示書データを受信する処方指示書データ受信手段を有している。
【０１２５】
次に、図７を参照して、当該コンタクトレンズ選定システム３１の動作手順について説明する。
【０１２６】
検眼データ取得ステップ（ＳＴＰ１１）は、ユーザの操作に基づいてこのユーザの角膜形状の少なくとも一部を測定し、この角膜形状に基づく検眼データを取得するステップである。ＳＴＰ１１は、検眼データ取得手段２によって行われる。ＳＴＰ１１は、ＳＴＰ１と同様の手順で行われる。
【０１２７】
コンタクトレンズタイプ受信ステップ（ＳＴＰ１２）は、ユーザが希望するコンタクトレンズタイプの入力を受け付けるステップである。ＳＴＰ１２は、コンタクトレンズタイプ受信手段１６によって行われる。ＳＴＰ１２では、コンタクトレンズタイプ受信手段１６が、ハードタイプ、ソフトタイプといった一般的な視力補正用コンタクトレンズの種類、終日装用、連続装用、オケージョナルユース等の装用様式、使い捨て、定期交換、長期使用等の使用期間、また遠近両用や円錐角膜用、おしゃれ用等の使用用途等のコンタクトレンズタイプに関するユーザの要望をタッチパネル１０３を介して受け付ける。コンタクトレンズタイプ受信手段１６は、種々のコンタクトレンズタイプをタッチパネル１０３に表示し、ユーザに選択させることによってこのユーザの要望を受け付けてもよく、タッチパネル１０３を介してユーザから直接入力を受け付けることによってこのユーザの要望を受け付けてもよい。
【０１２８】
コンタクトレンズ選定ステップ（ＳＴＰ１３）は、ＳＴＰ１２で受け付けたコンタクトレンズタイプに合致し、かつユーザに適合する一又は複数のコンタクトレンズを選定するステップである。ＳＴＰ１３では、処方データ記録手段４２で記録されたデータに基づいた補正を行ったうえでコンタクトレンズを選定する。ＳＴＰ１３は、コンタクトレンズ選定手段３９によって行われる。具体的には、まず、コンタクトレンズ選定手段３９は、ＳＴＰ１１で取得されるユーザの角膜表面の複数箇所の曲率データ中のうち最大値と最小値とを抽出し、この最大値と最小値とから平均値を算出する。コンタクトレンズ選定手段３９は、上記曲率データのうち最大値と最小値との平均値と、データベース４３に記録されている複数のコンタクトレンズの経験定数とを掛け合わせることによってこのユーザに適したコンタクトレンズのベースカーブを選定（一次選定）する。なお、コンタクトレンズ選定手段３９は、検眼データとして取得された複数箇所の曲率データのうちの最大値から最小値を引いた値（補正値）に基づく補正を行ったうえでベースカーブを選定してもよい。このようなベースカーブの選定方法としては、ユーザの角膜表面の複数箇所の曲率データのうちの最大値と最小値とから平均値を算出し、この平均値とコンタクトレンズ毎に定められた経験定数とを掛け合わせたうえ、補正値を加える方法が挙げられる。
【０１２９】
また、コンタクトレンズ選定手段３９は、検眼データ取得手段２によって取得された眼屈折率データに基づいて、球面度数、乱視度数等コンタクトレンズの度数を決定する。この際、コンタクトレンズ選定手段３９は、ユーザの角膜表面の複数箇所における曲率データと、コンタクトレンズの形状データ８としてデータベース４３に記録されているコンタクトレンズのベースカーブのデータから、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【０１３０】
さらに、コンタクトレンズ選定手段３９は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段３９は、このオーバーレフ値に基づいて、このコンタクトレンズを装用した際の見え方のシミュレーションを行ってもよい。
【０１３１】
また、コンタクトレンズ選定手段３９は、検眼データ取得手段２によって取得されたユーザの角膜横径データに基づいてコンタクトレンズの直径を決定する。例えば、コンタクトレンズ選定手段３９は、ハードタイプのコンタクトレンズの場合、検眼データ取得手段２によって取得された角膜横径データの値から１．５〜２．５ｍｍ程度引いた値をコンタクトレンズの直径として決定する。
【０１３２】
なお、データベース４３が、コンタクトレンズの形状データ８として、複数のコンタクトレンズのベベルの形状を蓄積し、コンタクトレンズ選定手段３９が、かかるベベルの形状を加味してコンタクトレンズを選定してもよい。
【０１３３】
次に、ＳＴＰ１３では、過去に行われた処方結果の蓄積である処方データ４５に基づき、一次選定されたコンタクトレンズのベースカーブの値と、加盟施設で実際に最終的に処方決定されたコンタクトレンズのベースカーブの値との誤差の平均を算出する。かかる誤差の平均は、処方データ４５に記録されている誤差４５ａの平均を算出することによって求められる。コンタクトレンズ選定手段３９は、一次選定されたコンタクトレンズのベースカーブの値に、かかる誤差の平均値分の補正を行い、ユーザに適合する最終的なコンタクトレンズのベースカーブを選定（最終選定）する。なお、このような補正は、コンタクトレンズのベースカーブの他、度数、直径等について行ってもよい。
【０１３４】
続いて、コンタクトレンズ選定手段３９は、コンタクトレンズの形状データ８及びコンタクトレンズタイプデータ１９を参照して、ＳＴＰ１２で受信したコンタクトレンズタイプデータに合致するコンタクトレンズの中から、最終選定したコンタクトレンズの形状に適合する一又は複数のコンタクトレンズをこのユーザに合致するコンタクトレンズとして選定する。
【０１３５】
コンタクトレンズ表示ステップ（ＳＴＰ１４）は、ＳＴＰ１３で選定されたコンタクトレンズのデータを表示するステップである。ＳＴＰ１４は、コンタクトレンズ表示手段３によって行われる。ＳＴＰ１４は、ＳＴＰ３と同様の手順で行われる。
【０１３６】
処方関連データ送信ステップ（ＳＴＰ１５）は、ＳＴＰ１１で取得された検眼データ及びＳＴＰ１３で選定されたコンタクトレンズのデータをユーザ識別データ２０と関連付けて処方関連データとしてネットワーク送信するステップである。ＳＴＰ１５は、通信手段３６によって行われる。ＳＴＰ１５では、通信手段３６が、ＳＴＰ１１で取得された検眼データ及びＳＴＰ１３で選定されたコンタクトレンズのデータをデータベース４３に記録されるこのユーザのユーザ識別データ２０と関連付けて管理サーバ３４に送信する。
【０１３７】
処方関連データ受信ステップ（ＳＴＰ１６）は、ＳＴＰ１５で送信された処方関連データを受信するステップである。ＳＴＰ１６は、通信手段４６によって行われる。
【０１３８】
ユーザ選択ステップ（ＳＴＰ１７）は、ＳＴＰ１４で表示された複数のコンタクトレンズから任意のコンタクトレンズをユーザに選択させるステップである。ＳＴＰ１７は、ユーザ選択手段５によって行われる。ＳＴＰ１７は、ＳＴＰ４と同様の手順で行われる。ＳＴＰ１７は、ＳＴＰ１４以降に行われる限り、必ずしもＳＴＰ１６の後に行われる必要はない。
【０１３９】
第二のコンタクトレンズデータ送信ステップ（ＳＴＰ１８）は、ＳＴＰ１７で選択されたコンタクトレンズのデータを、データベース４３に蓄積されるこのユーザのユーザ識別データ２０と関連付けて管理サーバ３４に送信するステップである。ＳＴＰ１８は、通信手段３６によって行われる。ＳＴＰ１８は、ＳＴＰ１５と同時に行うこともできる。ＳＴＰ１８をＳＴＰ１５と同時に行う場合、通信手段３６は、ＳＴＰ１１で取得された検眼データ及びＳＴＰ１３で選定されたコンタクトレンズのデータ並びにＳＴＰ１７で選択されたコンタクトレンズのデータをユーザ識別データ２０と関連付けて管理サーバ３４に送信する。
【０１４０】
第二のコンタクトレンズデータ受信ステップ（ＳＴＰ１９）は、ＳＴＰ１８で送信されたコンタクトレンズのデータ及びユーザ識別データを受信するステップである。ＳＴＰ１９は通信手段４６によって行われる。
【０１４１】
加盟施設表示ステップ（ＳＴＰ２０）は、加盟施設端末３５と関連付けられている加盟施設に関するデータを表示するステップである。ＳＴＰ２０は、加盟施設表示手段３８によって行われる。加盟施設表示手段３８は、ユーザから処方可能な加盟施設を表示する旨の指示がタッチパネル１０３の押下を通じて伝えられると、データベース４３に蓄積される加盟施設データ４４を基に、加盟施設端末３５と関連付けられている加盟施設に関するデータをタッチパネル１０３に表示させる。かかる加盟施設に関するデータとしては、加盟施設名、住所、連絡先、この加盟施設に所属する眼科医、コンタクトレンズ料金を含む料金体系等が挙げられる。なお、タッチパネル１０３には、加盟施設名等が一覧として表示されるようにしてもよく、ユーザの指示等に従って特定地域の加盟施設や処方料が一定以下の加盟施設のみを表示するようにしてもよく、またセルフ検眼装置３２の設置場所に近い加盟施設を重点的に表示するようにしてもよい。
【０１４２】
処方予約ステップ（ＳＴＰ２１）は、ＳＴＰ２０で表示された加盟施設から任意の加盟施設をユーザに選択させ、ユーザの操作に基づいてこの加盟施設に対する処方予約を行うステップである。ＳＴＰ２１は、処方予約手段４０によって行われる。処方予約手段４０は、まず、コンタクトレンズの処方可能な複数の加盟施設に関するデータをＳＴＰ２０で表示させる。処方予約手段４０は、タッチパネル１０３を介してユーザから所定の加盟施設を選択した旨の入力を受け付けると、この加盟施設の処方可能日時をタッチパネル１０３に表示させる。処方予約手段４０は、タッチパネル１０３に表示される処方可能日時のうちユーザに選択された日時をこのユーザの処方予約日として受け付ける。ＳＴＰ２１で選択された日時は、少なくとも管理サーバ３４及び処方予約された加盟施設端末３５に対して通知されるか、又は管理サーバ３４及び処方予約された加盟施設端末３５から自由に閲覧できるように設定される。
【０１４３】
印字ステップ（ＳＴＰ２２）は、ＳＴＰ１１で取得された検眼データ及びＳＴＰ１３で選定されたコンタクトレンズのデータを印字するステップである。ＳＴＰ２２は、印字手段４１によって行われる。ＳＴＰ２２は、ＳＴＰ５と同様の手順で行われる。また、ＳＴＰ２２では、ＳＴＰ２１で予約された処方予約日時を印字してもよい。
【０１４４】
処方指示書データ送信ステップ（ＳＴＰ２３）は、ＳＴＰ１６で受信した処方関連データに基づいて生成される処方指示書データを処方を行う加盟施設の加盟施設端末３５に送信するステップである。ＳＴＰ２３は、通信手段４６によって行われる。通信手段４６は、セルフ検眼装置３２から処方関連データを受け取ると、この処方関連データを基に眼科医等によって生成される処方指示書を、ＳＴＰ２１で処方予約された加盟施設の加盟施設端末３５に送信する。なお、ＳＴＰ２３では、処方指示書は、ＳＴＰ１７でユーザの嗜好を基に選択され、ＳＴＰ１９で受信されるコンタクトレンズのデータを参照して生成されるのが好ましい。
【０１４５】
処方指示書データ受信ステップ（ＳＴＰ２４）は、ＳＴＰ２３で送信された処方指示書データを受信するステップである。ＳＴＰ２４は、通信手段４９によって行われる。
【０１４６】
配送補助ステップ（ＳＴＰ２５）は、ＳＴＰ２３で送信するコンタクトレンズのデータに対応するコンタクトレンズをＳＴＰ２１で予約された加盟施設に対して配送するための配送手続を行うステップである。ＳＴＰ２５は、配送補助手段４７によって行われる。ＳＴＰ２５では、まず、配送補助手段４７は、管理サーバ３４で管理されるコンタクトレンズの在庫であって、ＳＴＰ２３で送信される処方指示書で推奨されるコンタクトレンズの在庫を確認する。そのうえで、配送補助手段４７は、ＳＴＰ２３で送信される処方指示書で推奨されるコンタクトレンズの在庫がある場合、この在庫を配送数量を差し引いた数量に修正したうえ、ＳＴＰ２１によって予約された加盟施設端末３５と関連付けられる加盟施設に所定数量の在庫を配送するための配送手続を行う。
【０１４７】
使用料決済ステップ（ＳＴＰ２６）は、セルフ検眼装置３２の使用料に対する決済手続を行うステップである。ＳＴＰ２６は、使用料決済手段４８によって行われる。使用料決済手段４８は、ユーザが利用したセルフ検眼装置３２のサービス内容に対応する額の使用料の徴収手続をこのユーザに対して行う。
【０１４８】
処方データ記録ステップ（ＳＴＰ２７）は、ＳＴＰ１３で選定されたコンタクトレンズのデータとＳＴＰ２１で予約された加盟施設によって行われた処方に関するデータとの対応を記録するステップである。ＳＴＰ２７は、処方データ記録手段４２によって行われる。ＳＴＰ２７は、処方データ記録手段４２が、ユーザＩＤ、このユーザが利用したセルフ検眼装置３２の検眼装置ＩＤ、このユーザの処方を行った加盟施設の加盟施設ＩＤ、セルフ検眼装置３２によって一次選定されたコンタクトレンズのベースカーブの値（一次選定値）、加盟施設によって処方決定されたコンタクトレンズのベースカーブの値（処方決定値）を処方データ４５として関連付けてデータベース４３に蓄積することにより行われる。また、ＳＴＰ２７では、処方データ記録手段４２が、一次選定値と処方決定値との誤差を算出して誤差４５ａとして記録する。なお、ＳＴＰ２７では、処方データ４５として蓄積される各データは、必ずしも同時に記録される必要はなく、例えば、ユーザＩＤ、検眼装置ＩＤ及び一次選定値がＳＴＰ１３の後に記録され、ＳＴＰ２１で処方予約された加盟施設において処方決定された処方決定値及びこの加盟施設の加盟施設ＩＤがＳＴＰ２６の後に記録されてもよい。
【０１４９】
なお、当該コンタクトレンズ選定システム３１は、一定期間内に当該コンタクトレンズ選定システム３１を利用してコンタクトレンズを処方又は購入したユーザに対しては、上記各ステップを行う代わりに又はユーザの選択に応じて、問診手段５０によって表示される問診データに対する回答を受け付けるようにしてもよい（問診ステップ）。この場合、問診手段５０は、上記問診データに対するユーザの回答が所定の条件を満たしている場合、このユーザのユーザＩＤと、このユーザが前回処方されたコンタクトレンズのデータとを関連付けて配送補助手段４７に送信する。そして、配送補助手段４７は、このユーザＩＤ及びこのユーザが前回処方されたコンタクトレンズのデータが送信された場合、このコンタクトレンズのデータに対応するコンタクトレンズをこのユーザに対して配送するための配送手続を行う。
【０１５０】
当該コンタクトレンズ選定システム３１は、一定期間内に当該コンタクトレンズ選定システムを利用してコンタクトレンズを処方又は購入したユーザに対しては、所定の問診に対する回答のみに基づいてコンタクトレンズを提供することができる。その結果、当該コンタクトレンズ選定システムは、ユーザのコンタクトレンズ購入手続を簡素化することができる。また、当該コンタクトレンズ選定システムは、ユーザの検眼コスト等を抑えることができる。
【０１５１】
当該セルフ検眼装置３２によれば、ユーザは、当該セルフ検眼装置３２によって得られる検眼データ及びこの検眼データに適合するコンタクトレンズのデータを得たうえ、自ら所望する日時を指定して加盟施設に処方予約を入れることができる。従って、当該セルフ検眼装置３２によれば、ユーザは、自らの都合に合わせて加盟施設を訪れることができ、当該セルフ検眼装置３２により得られたデータを利用することでこの加盟施設での処方時間を短縮できるとともに、この加盟施設によりさらに精細な処方を受けることができる。また、当該セルフ検眼装置３２によれば、加盟施設は、当該セルフ検眼装置３２により得られたデータを用いて技術不足を好適に補完することができる。
【０１５２】
当該セルフ検眼装置３２は、処方データ記録手段４２が、コンタクトレンズ選定手段３９で選定されたコンタクトレンズのデータと処方予約手段４０で予約された加盟施設で処方されたコンタクトレンズのデータとを記録する。それゆえ、当該セルフ検眼装置３２は、コンタクトレンズ選定手段３９で選定されたコンタクトレンズのデータと処方予約手段４０で予約された加盟施設で処方されたコンタクトレンズのデータの相違から、コンタクトレンズ選定手段３９が抱える誤差値を割り出すことができる。従って、当該セルフ検眼装置３２は、コンタクトレンズ選定手段３９が、かかる誤差値に基づいた補正を行うことにより、選定されるコンタクトレンズのフィッティング性を向上させることができる。
【０１５３】
当該管理サーバ３４は、処方指示書データ送信手段が、処方関連データ受信手段によって受診した処方関連データに基づいて生成される処方指示書データをネットワーク送信することができる。従って、当該管理サーバ３４は、処方指示書データ送信手段によって送信される処方指示書データを処方を行う眼科医等が利用することにより、ユーザの処方時間を短縮するとともに、このユーザに対してさらに精細な処方を行うことができる。また、当該管理サーバ３４によると、処方指示書データ送信手段によって処方指示書データを所定のコンタクトレンズ販売店等に送信することによって、眼科医の処方を要せずにユーザに適したコンタクトレンズを選択又は入手することもできる。
【０１５４】
当該コンタクトレンズ選定システム３１は、新規のユーザであっても自らの操作により手軽に利用することができ、自分に合ったコンタクトレンズを知ることができる。当該コンタクトレンズ選定システム３１は、データベース４３に蓄積される複数のコンタクトレンズの形状データ８をもとにコンタクトレンズ選定手段３９がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。当該コンタクトレンズ選定システム３１は、処方指示書データ送信手段によって送信される処方指示書データを処方を行う加盟施設が利用するようにすれば、ユーザの処方時間の短縮及びこのユーザに対する処方の高度化を図ることができるとともに、このユーザのコンタクトレンズの購入手続をスムーズに行うことができる。
【０１５５】
当該コンタクトレンズ選定システム３１は、ユーザの嗜好を加味した処方指示書データを作成したうえで加盟施設に送信することができる。従って、当該コンタクトレンズ選定システム３１によると、加盟施設はユーザの嗜好を加味したコンタクトレンズの選定を容易に行うことができる。
【０１５６】
当該コンタクトレンズ選定システム３１によると、ユーザは、自ら所望する日時を指定して加盟施設に処方予約を入れることができる。当該コンタクトレンズ選定システム３１は、処方予約手段４０によって予約された加盟施設が処方指示書データ受信手段で受信した処方指示書データを利用することにより、ユーザの処方待ち時間及び処方時間を短縮できるとともに、この加盟施設によりさらに精細な処方を行うことができる。
【０１５７】
当該コンタクトレンズ選定システム３１は、処方データ記録手段４２が、コンタクトレンズ選定手段３９で選定されたコンタクトレンズのデータと処方予約手段４０で予約された加盟施設で処方されたコンタクトレンズのデータとを記録する。それゆえ、当該コンタクトレンズ選定システム３１は、コンタクトレンズ選定手段３９で選定されたコンタクトレンズのデータと処方予約手段４０で予約された加盟施設で処方されたコンタクトレンズのデータの相違から、コンタクトレンズ選定手段３９が抱える誤差値を割り出すことができる。従って、当該コンタクトレンズ選定システム３１は、コンタクトレンズ選定手段３９が、かかる誤差値に基づいた補正を行うことにより、選定されるコンタクトレンズのフィッティング性を向上させることができる。
【０１５８】
当該コンタクトレンズ選定システム３１は、配送補助手段４７によってユーザが購入する可能性が高いコンタクトレンズを予め加盟施設に配送することができ、ひいてはユーザによるコンタクトレンズ購入手続をさらにスムーズに行うことができる。また、当該コンタクトレンズ選定システム３１によると、加盟施設側から必要なコンタクトレンズを発注しなくてもよいので、加盟施設におけるコンタクトレンズの在庫管理の容易化を図ることができる。
【０１５９】
当該コンタクトレンズ選定システム３１は、使用料決済手段４８により、ユーザの支払手続をスムーズに行うことができる。
【０１６０】
図８のコンタクトレンズ選定システム５１は、セルフ検眼装置５２と、ネットワーク１３と、管理サーバ５３とを有している。コンタクトレンズ選定システム５１では、実際には、セルフ検眼装置５２は複数存在している。しかし、図８では、煩雑さ回避のため１個についてのみ図示する。また、以下の説明において、図１のセルフ検眼装置１、図４のコンタクトレンズ選定システム１１及び図５のコンタクトレンズ選定システム３１と同様の構成については、同一番号を付して適宜説明を省略する。
【０１６１】
セルフ検眼装置５２は、通信手段５４と、検眼データ取得手段５５と、コンタクトレンズタイプ受信手段１６と、コンタクトレンズ表示手段５６と、ユーザ選択手段５と、印字手段５７と、データベース５８とを有している。セルフ検眼装置５２は、図１のセルフ検眼装置１と同様、基礎データ測定端末１０１とユーザ操作端末１０２とを有している。
【０１６２】
通信手段５４は、セルフ検眼装置５２と管理サーバ５３等の外部装置との間におけるネットワーク通信を制御する。通信手段５４は、検眼データ取得手段５５によって取得された検眼データをこのユーザのユーザ識別データ２０と関連付けてネットワーク送信する（検眼データ送信手段）。通信手段５４は、コンタクトレンズタイプ受信手段１６によって受信したコンタクトレンズタイプデータをこのユーザのユーザ識別データ２０と関連付けて管理サーバ５３に送信する（コンタクトレンズタイプデータ送信手段）。通信手段５４は、コンタクトレンズタイプデータ送信手段によって送信されたコンタクトレンズタイプデータに合致するコンタクトレンズであって、検眼データとコンタクトレンズの形状データ８とに基づいて選定された一又は複数のコンタクトレンズのデータを管理サーバ５３から受信する（第一のコンタクトレンズデータ受信手段）。通信手段５４は、ユーザ選択手段５によって選択されたコンタクトレンズのデータを管理サーバ５３に送信する（第二のコンタクトレンズデータ送信手段）。
【０１６３】
検眼データ取得手段５５は、角膜形状測定装置と、屈折率測定装置と、解析装置と、ＣＰＵとを含んでいる。検眼データ取得手段５５は、ユーザの操作に基づいてこのユーザの角膜形状を測定し、検眼データとしてこのユーザの角膜形状データを取得する。具体的には、検眼データ取得手段５５は、ユーザから検眼データを取得する旨の指示がタッチパネル１０３の押下を通して伝えられると、角膜形状測定装置によって、このユーザの角膜形状を測定する。かかる角膜形状は、例えば、角膜表面の１０００以上の箇所における曲率データを測定し、演算処理を行うことによって取得される。また、検眼データ取得手段５５は、角膜形状測定装置によって、ユーザの角膜横径を測定し、角膜横径データを取得する。さらに、検眼データ取得手段５５は、ユーザの操作に基づいて、屈折率測定装置によって、自覚又は他覚によりユーザの眼屈折率を測定し、眼屈折率データを取得する。
【０１６４】
コンタクトレンズ表示手段５６は、タッチパネル１０３と、ＣＰＵとを含んでいる。コンタクトレンズ表示手段５６は、第一のコンタクトレンズデータ受信手段によって受信した一又は複数のコンタクトレンズのデータを表示する。具体的には、コンタクトレンズ表示手段５６は、コンタクトレンズ選定手段６０によって選定され、第一のコンタクトレンズデータ受信手段によって受信した一又は複数のコンタクトレンズの形状データ８や、このコンタクトレンズの商品名、品番、値段等の商品データをタッチパネル１０３に表示させる。また、コンタクトレンズ表示手段５６は、コンタクトレンズ選定手段６０がユーザの角膜表面とコンタクトレンズの裏面との間に形成される涙液層のデータを取得している場合、この涙液層の形状を示すフルオレスセインパターンをタッチパネル１０３に表示させる。さらに、コンタクトレンズ表示手段５６は、後述するように、コンタクトレンズ選定手段６０がコンタクトレンズを装用した状態での屈折値（オーバーレフ値）を計算している場合、このオーバーレフ値をタッチパネル１０３に表示させる。加えて、コンタクトレンズ表示手段５６は、コンタクトレンズ選定手段６０がコンタクトレンズを装用した際の見え方のシミュレーションを行っている場合、この見え方のシミュレーションの結果をタッチパネル１０３に表示する。
【０１６５】
印字手段５７は、プリンタと、ＣＰＵとを含んでいる。印字手段５７は、検眼データ取得手段５５によって取得された検眼データ及び第一のコンタクトレンズデータ受信手段によって受信した一又は複数のコンタクトレンズのデータを印字する。印字手段５７は、タッチパネル１０３を介してユーザから、検眼データ取得手段５５によって取得された検眼データ及びコンタクトレンズ選定手段６０によって選定され、第一のコンタクトレンズデータ受信手段によって受信したコンタクトレンズのデータの印字指示を受けると、これらのデータを所定の用紙に印字する。印字手段５７によって印字されたコンタクトレンズのデータは、排紙部１０４から排紙される。印字手段５７によって印字されるコンタクトレンズのデータは、予め第一のコンタクトレンズデータ受信手段によって受信されていてもよく、また、ユーザから印字指示を受けた後にコンタクトレンズデータ受信手段によって受信してもよい。また、印字手段５７は、必ずしも検眼データ及びコンタクトレンズのデータを共に印字する必要はなく、ユーザの選択や、サービス内容等により、検眼データのみ又はコンタクトレンズのデータのみを印字してもよい。さらに、印字手段５７は、ユーザ選択手段５によって選択されたコンタクトレンズのデータを印字するようにしてもよい。印字手段５７は、印画手段を備えていてもよい。
【０１６６】
データベース５８は、ユーザ識別データ２０を有している。
【０１６７】
管理サーバ５３は、通信手段５９と、コンタクトレンズ選定手段６０と、データベース６１とを有している。管理サーバ５３は、一つのコンピュータから構成されてもよく、複数のコンピュータから構成されてもよい。また、管理サーバ５３は、所定の入力装置等を備えていてもよい。
【０１６８】
通信手段５９は、管理サーバ５３とセルフ検眼装置５２等の外部装置との間におけるネットワーク通信を制御する。通信手段５９は、セルフ検眼装置５２から送信された検眼データ及びユーザ識別データを受信する（検眼データ受信手段）。通信手段５９は、コンタクトレンズタイプデータ送信手段で送信されたコンタクトレンズタイプデータ及びユーザ識別データ２０を受信する（コンタクトレンズタイプデータ受信手段）。通信手段５９は、コンタクトレンズ選定手段６０によって選定されたコンタクトレンズのデータをセルフ検眼装置５２に送信する（第一のコンタクトレンズデータ送信手段）。通信手段５９は、検眼データ受信手段によって受信した検眼データ及びコンタクトレンズ選定手段６０によって選定されたコンタクトレンズのデータに基づいて生成される処方指示書データをネットワーク送信する（処方指示書データ送信手段）。通信手段５９は、第二のコンタクトレンズ送信手段によって送信されたコンタクトレンズのデータを受信する（第二のコンタクトレンズデータ受信手段）。
【０１６９】
コンタクトレンズ選定手段６０は、ＣＰＵを含んでいる。コンタクトレンズ選定手段６０は、検眼データとデータベース６１に蓄積されるコンタクトレンズの形状データ８とに基づき、検眼データに適合する一又は複数のコンタクトレンズを選定する。また、コンタクトレンズ選定手段６０は、コンタクトレンズタイプデータ受信手段で受信したコンタクトレンズタイプデータに合致するコンタクトレンズを選定する。具体的には、まず、コンタクトレンズ選定手段６０は、検眼データ送信手段によってセルフ検眼装置５２から送信され、検眼データ受信手段によって管理サーバ５３が受信したユーザの検眼データを取得する。次に、コンタクトレンズ選定手段６０は、データベース５８に蓄積された複数のコンタクトレンズのベースカーブのデータを取得する。コンタクトレンズ選定手段６０は、取得したユーザの角膜形状データと複数のコンタクトレンズのベースカーブのデータとからユーザの角膜表面の複数箇所からコンタクトレンズの裏面にかけてそれぞれ引いた複数の法線方向距離を算出する。コンタクトレンズ選定手段６０は、これらの法線方向距離の差が小さくなるようなベースカーブをこのユーザに適合するコンタクトレンズのベースカーブとして選定する。当該管理サーバ５３は、コンタクトレンズ選定手段６０がユーザの角膜表面からコンタクトレンズの裏面への法線方向距離に基づいてコンタクトレンズのベースカーブを選定するので、選定されるコンタクトレンズのユーザに対するフィッティング性をさらに向上させることができる。
【０１７０】
また、コンタクトレンズ選定手段６０は、検眼データ取得手段５５によって取得された眼屈折率データに基づいて、球面度数、乱視度数等コンタクトレンズの度数を決定する。当該管理サーバ５３は、コンタクトレンズ選定手段６０が眼屈折率データに基づいてコンタクトレンズの度数を決定することによってユーザに適したコンタクトレンズの度数を容易かつ迅速に決定することができる。また、コンタクトレンズ選定手段６０は、ユーザの角膜表面の複数箇所からコンタクトレンズの裏面にかけてそれぞれ引いた複数の法線方向距離から、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装用時の全体の収差のシミュレーションを行い、かかるシミュレーションの結果に基づいてユーザに適したコンタクトレンズの球面度数、乱視度数を決定する方法が挙げられる。当該管理サーバ５３は、このように涙液層の形状を加味してコンタクトレンズの度数を決定することによって、コンタクトレンズ選定手段６０によって選定されるコンタクトレンズの度数の精度をさらに向上させることができる。
【０１７１】
さらに、コンタクトレンズ選定手段６０は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段６０は、このオーバーレフ値に基づいて、このコンタクトレンズを装用した際の見え方のシミュレーションを行ってもよい。
【０１７２】
また、コンタクトレンズ選定手段６０は、検眼データ取得手段５５によって取得されたユーザの角膜横径データに基づいてコンタクトレンズの直径を決定する。例えば、コンタクトレンズ選定手段６０は、ハードタイプのコンタクトレンズの場合、検眼データ取得手段５５によって取得された角膜横径データの値から１．５〜２．５ｍｍ程度引いた値をコンタクトレンズの直径として決定する。当該管理サーバ５３は、このように、検眼データ取得手段５５によって取得された角膜横径データに基づいてコンタクトレンズの直径を決定することによって、ユーザに適したコンタクトレンズの直径を容易かつ迅速に選定することができる。
【０１７３】
なお、データベース６１が、コンタクトレンズの形状データ８として、複数のコンタクトレンズのベベルの形状を蓄積し、コンタクトレンズ選定手段６０が、かかるベベルの形状を加味してコンタクトレンズを選定してもよい。
【０１７４】
コンタクトレンズ選定手段６０は、コンタクトレンズの形状データ８及びコンタクトレンズタイプデータ１９を参照して、コンタクトレンズタイプデータ受信手段で受信したコンタクトレンズタイプデータに合致するコンタクトレンズの中から、上述のように選定されたコンタクトレンズのベースカーブ、度数、直径等に適合する一又は複数のコンタクトレンズをこのユーザに合致するコンタクトレンズとして選定する。
【０１７５】
データベース６１は、コンタクトレンズの形状データ８と、コンタクトレンズタイプデータ１９とを有している。
【０１７６】
続いて、図９を参照して、コンタクトレンズ選定システム５１の動作手順について説明する。
【０１７７】
検眼データ取得ステップ（ＳＴＰ３１）は、ユーザの操作に基づいてこのユーザの角膜形状を測定し、検眼データとしてこのユーザの角膜形状データを取得するステップである。ＳＴＰ３１は、検眼データ取得手段５５によって行われる。ＳＴＰ３１では、検眼データ取得手段５５は、ユーザから検眼データを取得する旨の指示がタッチパネル１０３の押下を通して伝えられると、角膜形状測定装置によって、このユーザの角膜形状を測定する。かかる角膜形状は、例えば、角膜表面の１０００以上の箇所における曲率データを測定し、演算処理を行うことによって取得される。また、検眼データ取得手段５５は、角膜形状測定装置によって、ユーザの角膜横径を測定し、角膜横径データを取得する。さらに、検眼データ取得手段５５は、ユーザの操作に基づいて、屈折率測定装置によって、自覚又は他覚によりユーザの眼屈折率を測定し、眼屈折率データを取得する。
【０１７８】
検眼データ送信ステップ（ＳＴＰ３２）は、ＳＴＰ３１で取得された検眼データをデータベース５８に蓄積されるこのユーザのユーザ識別データ２０と関連付けて管理サーバ５３に送信するステップである。ＳＴＰ３２は、通信手段５４によって行われる。なお、ＳＴＰ３２では、ＳＴＰ３１で取得された検眼データ及びデータベース５８に蓄積されるこのユーザのユーザ識別データ２０をユーザのパソコン等サーバ４３以外の外部装置に対してネットワーク送信してもよい。
【０１７９】
検眼データ受信ステップ（ＳＴＰ３３）は、ＳＴＰ３２で送信された検眼データ及びユーザ識別データ２０を受信するステップである。ＳＴＰ３３は、通信手段５９によって行われる。
【０１８０】
コンタクトレンズタイプ受信ステップ（ＳＴＰ３４）は、ユーザが希望するコンタクトレンズタイプを受け付けるステップである。ＳＴＰ３４は、コンタクトレンズタイプ受信手段１６によって行われる。ＳＴＰ３４は、ＳＴＰ１２と同様の手順によって行われる。
【０１８１】
コンタクトレンズタイプデータ送信ステップ（ＳＴＰ３５）は、ＳＴＰ３４で受信したコンタクトレンズタイプデータを管理サーバ５３に送信するステップである。ＳＴＰ３５は通信手段５４によって行われる。
【０１８２】
コンタクトレンズタイプデータ受信ステップ（ＳＴＰ３６）は、ＳＴＰ３５で送信されたコンタクトレンズタイプデータを受信するステップである。ＳＴＰ３６は通信手段５９によって行われる。
【０１８３】
コンタクトレンズ選定ステップ（ＳＴＰ３７）は、ＳＴＰ３６で受信したコンタクトレンズタイプに合致し、かつユーザに適合する一又は複数のコンタクトレンズを選定するステップである。ＳＴＰ３７は、コンタクトレンズ選定手段６０によって行われる。ＳＴＰ３７では、まず、コンタクトレンズ選定手段６０は、ＳＴＰ３３で受信したユーザの検眼データを取得する。次に、コンタクトレンズ選定手段６０は、コンタクトレンズの形状データ８としてデータベース５８に蓄積された複数のコンタクトレンズのベースカーブのデータを取得する。コンタクトレンズ選定手段６０は、取得したユーザの角膜形状データと複数のコンタクトレンズのベースカーブのデータとからユーザの角膜表面の複数箇所からコンタクトレンズの裏面にかけてそれぞれ引いた複数の法線方向距離を算出する。コンタクトレンズ選定手段６０は、これらの法線方向距離の差が小さくなるようなベースカーブをこのユーザに適合するコンタクトレンズのベースカーブとして選定する。
【０１８４】
また、コンタクトレンズ選定手段６０は、ＳＴＰ３１で取得された眼屈折率データに基づいて、球面度数、乱視度数等コンタクトレンズの度数を決定する。この際、コンタクトレンズ選定手段６０は、ユーザの角膜表面の複数箇所からコンタクトレンズの裏面にかけてそれぞれ引いた複数の法線方向距離から、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【０１８５】
さらに、コンタクトレンズ選定手段６０は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段６０は、このオーバーレフ値に基づいて、このコンタクトレンズを装用した際の見え方のシミュレーションを行ってもよい。
【０１８６】
また、コンタクトレンズ選定手段６０は、ＳＴＰ３１で取得されたユーザの角膜横径データに基づいてコンタクトレンズの直径を決定する。例えば、コンタクトレンズ選定手段６０は、ハードタイプのコンタクトレンズの場合、検眼データ取得手段５５によって取得された角膜横径データの値から１．５〜２．５ｍｍ程度引いた値をコンタクトレンズの直径として決定する。
【０１８７】
なお、データベース６１が、コンタクトレンズの形状データ８として、複数のコンタクトレンズのベベルの形状を蓄積し、コンタクトレンズ選定手段６０が、かかるベベルの形状を加味してコンタクトレンズを選定してもよい。
【０１８８】
続いて、コンタクトレンズ選定手段６０は、コンタクトレンズの形状データ８及びコンタクトレンズタイプデータ１９を参照して、ＳＴＰ３６で受信したコンタクトレンズタイプデータに合致するコンタクトレンズの中から、上述のように選定されたコンタクトレンズのベースカーブ、度数、直径等に適合する一又は複数のコンタクトレンズをこのユーザに合致するコンタクトレンズとして選定する。
【０１８９】
第一のコンタクトレンズデータ送信ステップ（ＳＴＰ３８）は、ＳＴＰ３７で選定されたコンタクトレンズのデータをセルフ検眼装置５２に送信するステップである。ＳＴＰ３８は、通信手段５９によって行われる。なお、コンタクトレンズ選定手段６０が、ＳＴＰ３７でユーザの角膜表面とコンタクトレンズの裏面との間に形成される涙液層のデータを取得している場合、ＳＴＰ３８では、この涙液層の形状を示すフルオレスセインパターンのデータをセルフ検眼装置５２に送信する。また、コンタクトレンズ選定手段６０が、ＳＴＰ３７でオーバーレフ値を計算している場合、ＳＴＰ３８では、このオーバーレフ値のデータをセルフ検眼装置５２に送信する。加えて、コンタクトレンズ選定手段６０が、ＳＴＰ３７でこのオーバーレフ値に基づいてコンタクトレンズを装用した際の見え方のシミュレーションを行っている場合、ＳＴＰ３８では、この見え方のシミュレーションの結果データをセルフ検眼装置５２に送信する。
【０１９０】
第一のコンタクトレンズデータ受信ステップ（ＳＴＰ３９）は、ＳＴＰ３７で選定され、ＳＴＰ３８で送信されたコンタクトレンズのデータを受信するステップである。ＳＴＰ３９は、通信手段５４によって行われる。なお、ＳＴＰ３８でフルオレスセインパターンのデータが送信された場合、ＳＴＰ３９は、かかるフルオレスセインパターンのデータも受信する。また、ＳＴＰ３８でオーバーレフ値のデータが送信された場合、ＳＴＰ３９では、かかるオーバーレフ値のデータも受信する。さらに、ＳＴＰ３８で見え方のシミュレーションの結果データが送信された場合、ＳＴＰ３９では、かかる見え方のシミュレーションの結果データも受信する。
【０１９１】
コンタクトレンズ表示ステップ（ＳＴＰ４０）は、ＳＴＰ３９で受信したコンタクトレンズのデータを表示するステップである。ＳＴＰ４０は、コンタクトレンズ表示手段５６によって行われる。具体的には、コンタクトレンズ表示手段５６は、ＳＴＰ３７で選定され、ＳＴＰ３９で受信した一又は複数のコンタクトレンズの形状データ８や、このコンタクトレンズの商品名、品番、値段等の商品データをタッチパネル１０３に表示させる。なお、コンタクトレンズ表示手段５６は、ＳＴＰ３９でフルオレスセインパターンのデータを受信した場合、かかるデータもタッチパネル１０３に表示させる。また、コンタクトレンズ表示手段５６は、ＳＴＰ３９でオーバーレフ値のデータを受信した場合、かかるオーバーレフ値のデータもタッチパネル１０３に表示させる。加えて、コンタクトレンズ表示手段５６は、ＳＴＰ３９で見え方のシミュレーションの結果データを受信した場合、この見え方シミュレーションの結果データもタッチパネル１０３に表示させる。
【０１９２】
ユーザ選択ステップ（ＳＴＰ４１）は、ＳＴＰ４０で表示された複数のコンタクトレンズから任意のコンタクトレンズをユーザに選択させるステップである。ＳＴＰ４１は、ユーザ選択手段５によって行われる。ＳＴＰ４１は、ＳＴＰ４と同様の手順によって行われる。
【０１９３】
第二のコンタクトレンズデータ送信ステップ（ＳＴＰ４２）は、ＳＴＰ４１で選択されたコンタクトレンズのデータを管理サーバ５３に送信するステップである。ＳＴＰ４２は通信手段５４によって行われる。
【０１９４】
第二のコンタクトレンズデータ受信ステップ（ＳＴＰ４３）は、ＳＴＰ４２で送信されたコンタクトレンズのデータを受信するステップである。ＳＴＰ４３は、通信手段５９によって行われる。
【０１９５】
印字ステップ（ＳＴＰ４４）は、ＳＴＰ３１で取得された検眼データ及びＳＴＰ３９で受信したコンタクトレンズのデータを印字するステップである。ＳＴＰ４４は、印字手段５７によって行われる。印字手段５７は、タッチパネル１０３を介してユーザから、ＳＴＰ３１で取得された検眼データ及びＳＴＰ３９で受信したコンタクトレンズのデータの印字指示を受けると、これらのデータを所定の用紙に印字する。ＳＴＰ４４で印字されたコンタクトレンズのデータは、排紙部１０４から排紙される。なお、ＳＴＰ４４で印字されるコンタクトレンズのデータは、予め第一のコンタクトレンズデータ受信手段によって受信されてもよく、また、ユーザから印字指示を受けた後にコンタクトレンズデータ受信手段によって受信してもよい。また、ＳＴＰ４４では、必ずしも検眼データ及びコンタクトレンズのデータを共に印字する必要はなく、ユーザの選択や、サービス内容等により、検眼データのみ又はコンタクトレンズのデータのみを印字してもよい。さらに、ＳＴＰ４４では、ユーザ選択手段５によって選択されたコンタクトレンズのデータを印字するようにしてもよい。
【０１９６】
処方指示書データ送信ステップ（ＳＴＰ４５）は、ＳＴＰ３３で受信した検眼データ及びＳＴＰ３７で選定されたコンタクトレンズのデータに基づいて生成される処方指示書データをネットワーク送信するステップである。ＳＴＰ４５は、通信手段５９によって行われる。通信手段５９は、ＳＴＰ３３で受信した検眼データ及びＳＴＰ３７で選定されたコンタクトレンズのデータを基に眼科医等によって生成される処方指示書をネットワーク送信する。なお、ＳＴＰ４５では、処方指示書は、ＳＴＰ４１でユーザの嗜好を基に選択され、ＳＴＰ４２で送信されるコンタクトレンズのデータを参照して生成されるのが好ましい。
【０１９７】
当該セルフ検眼装置５２は、検眼データ送信手段によって、このセルフ検眼装置５２とネットワーク通信可能な外部装置に検眼データ及びユーザ識別データを送信することができる。その結果、当該セルフ検眼装置５２は、かかる外部装置を用いてこのユーザに適したコンタクトレンズを選定することができる。
【０１９８】
当該管理サーバ５３は、データベース６１に蓄積される複数のコンタクトレンズの形状データ８に基づいてユーザに適合する一又は複数のコンタクトレンズを選定することができる。当該管理サーバ５３は、データベース６１に、ソフトコンタクトレンズ、ハードコンタクトレンズ等、種々のコンタクトレンズの形状データ８を蓄積することにより、眼科医の技術不足を好適に補完することができ、ユーザにとって好適なコンタクトレンズを提供することができる。
【０１９９】
当該管理サーバ５３は、第一のコンタクトレンズデータ送信手段によって送信されたフルオレスセインパターンを、このフルオレスセインパターンを受信したセルフ検眼装置５２に表示させることによってユーザに視認させることができる。その結果、当該管理サーバ５３によると、ユーザはトライアルレンズを使用することなく、フルオレスセインパターンを確認することができる。また、このような構成によると、コンタクトレンズのフィッティング性をユーザが視覚的に確認することができ、ひいてはユーザの安心感を高めることができる。
【０２００】
当該管理サーバ５３は、第一のコンタクトレンズデータ送信手段によって送信されたオーバーレフ値を受信したセルフ検眼装置５２によって、このオーバーレフ値を表示することができる。その結果、当該管理サーバ５３は、コンタクトレンズ選定手段６０によって選定されたコンタクトレンズの妥当性をユーザに対して表示することができ、ひいてはユーザの安心感を高めることができる。
【０２０１】
当該管理サーバ５３は、第一のコンタクトレンズデータ送信手段によって送信された見え方のシミュレーションの結果データを受信したセルフ検眼装置５２によって、この見え方シミュレーションの結果を表示することができる。その結果、当該管理サーバ５３は、ユーザの安心感をさらに高めることができる。
【０２０２】
当該管理サーバ５３は、コンタクトレンズ選定手段６０が、コンタクトレンズタイプデータ受信手段で受信したコンタクトレンズタイプデータに合致するコンタクトレンズを選定するので、ユーザの嗜好を前提としたコンタクトレンズを選定することができる。
【０２０３】
当該管理サーバ５３は、検眼データ及びコンタクトレンズ選定手段６０によって選定されたコンタクトレンズのデータに基づいて生成される処方指示書データをネットワーク送信する処方指示書データ送信手段を有しているので、コンタクトレンズの処方の容易性、的確性、迅速性を向上させることができる。
【０２０４】
当該コンタクトレンズ選定システム５１は、新規のユーザであっても自らの操作により手軽に利用することができ、自分に合ったコンタクトレンズを知ることができる。また、当該コンタクトレンズ選定システム５１は、検眼データ取得手段５５によって取得された検眼データ及びコンタクトレンズ表示手段５６によって表示されたコンタクトレンズのデータを眼科医が使用した場合には、この眼科医の処方時間を短縮することができる。当該コンタクトレンズ選定システム５１は、データベース６１に蓄積される複数のコンタクトレンズの形状データ８をもとにコンタクトレンズ選定手段６０がユーザに適合する一又は複数のコンタクトレンズを選定するので、データベース６１に、ソフトコンタクトレンズ、ハードコンタクトレンズ等、種々のコンタクトレンズの形状データ８を蓄積することにより、眼科医の技術不足を好適に補完することができ、ユーザにとって好適なコンタクトレンズを提供することができる。
【０２０５】
当該コンタクトレンズ選定システム５１によると、コンタクトレンズ表示手段５６によって表示される複数のコンタクトレンズの中から、任意のコンタクトレンズをユーザが選択することができるので、ユーザが眼科医等を訪れることなく、このユーザに適しかつこのユーザが嗜好するコンタクトレンズを容易に選択することができる。
【０２０６】
当該コンタクトレンズ選定システム５１は、印字手段５７を有している。従って、当該コンタクトレンズ選定システム５１によれば、ユーザは、自らの検眼データ及び自らに適するコンタクトレンズのデータをいつでも確認することができる。さらに、当該コンタクトレンズ選定システム５１によれば、ユーザはこれらのデータを持参してコンタクトレンズ販売店等を訪れ、所望のコンタクトレンズを購入することができ、またこれらのデータを持参して眼科医等を訪れ、さらに詳細な処方を受けることができる。
【０２０７】
図１０のコンタクトレンズ選定システム７１は、セルフ検眼装置７２と、ネットワーク３３と、管理サーバ７３と、加盟施設端末３５とを有している。コンタクトレンズ選定システム７１では、実際には、セルフ検眼装置７２及び加盟施設端末３５は複数存在している。しかし、図１０では、煩雑さ回避のため各１個についてのみ図示する。また、以下の説明において、前述のセルフ検眼装置１、コンタクトレンズ選定システム１１、３１、５１と同様の構成については、同一番号を付して適宜説明を省略する。
【０２０８】
セルフ検眼装置７２は、通信手段７４と、検眼データ取得手段５５と、表示手段７５と、コンタクトレンズタイプ受信手段１６と、ユーザ選択手段５と、処方予約手段４０と、印字手段５７と、問診手段５０とを有している。セルフ検眼装置７２は、図１のセルフ検眼装置１と同様、基礎データ測定端末１０１とユーザ操作端末１０２とを有している。
【０２０９】
通信手段７４は、セルフ検眼装置７２と管理サーバ７３及び加盟施設端末３５等の外部装置との間におけるネットワーク通信を制御する。通信手段７４は、検眼データ取得手段５５によって取得された検眼データをこのユーザのユーザ識別データ２０と関連付けて管理サーバ７３に送信する（検眼データ送信手段）。通信手段７４は、コンタクトレンズタイプ受信手段１６によって受信したコンタクトレンズタイプデータをこのユーザのユーザ識別データ２０と関連付けて管理サーバ７３に送信する（コンタクトレンズタイプデータ送信手段）。通信手段７４は、コンタクトレンズタイプデータ送信手段によって送信されたコンタクトレンズタイプデータに合致するコンタクトレンズであって、検眼データとコンタクトレンズの形状データとに基づいてコンタクトレンズ選定手段７８により選定されたコンタクトレンズのデータを管理サーバ７３から受信する（第一のコンタクトレンズデータ受信手段）。通信手段７４は、ユーザ選択手段５によって選択されたコンタクトレンズのデータを、データベース８１に蓄積されるこのユーザのユーザ識別データ２０と関連付けて管理サーバ７３に送信する（第二のコンタクトレンズデータ送信手段）。
【０２１０】
表示手段７５は、コンタクトレンズ表示手段５６と、加盟施設表示手段７６とを有している。表示手段７５は、タッチパネル１０３と、ＣＰＵとを含んでいる。加盟施設表示手段７６は、加盟施設端末３５と関連付けられている加盟施設に関するデータを表示する。具体的には、加盟施設表示手段７６は、ユーザから処方可能な加盟施設を表示する旨の指示がタッチパネル１０３の押下を通じて伝えられると、データベース８１に蓄積される加盟施設データ４４を取得し、加盟施設端末３５と関連付けられている加盟施設に関するデータをタッチパネル１０３に表示させる。
【０２１１】
管理サーバ７３は、通信手段７７と、コンタクトレンズ選定手段７８と、処方データ記録手段７９と、配送補助手段４７と、システム使用料決済手段８０と、データベース８１とを有している。
【０２１２】
通信手段７７は、管理サーバ７３とセルフ検眼装置７２及び加盟施設端末３５等の外部装置との間におけるネットワーク通信を制御する。通信手段７７は、検眼データ送信手段によって送信された検眼データ及びユーザ識別データ２０をセルフ検眼装置７２から受信する（検眼データ受信手段）。通信手段７７は、コンタクトレンズタイプデータ送信手段で送信されたコンタクトレンズタイプデータ及びユーザ識別データ２０を受信する（コンタクトレンズタイプデータ受信手段）。通信手段７７は、コンタクトレンズ選定手段７８によって選定されたコンタクトレンズのデータをセルフ検眼装置７２に送信する（第一のコンタクトレンズデータ送信手段）。通信手段７７は、検眼データ受信手段によって受信した検眼データ及びコンタクトレンズ選定手段７８によって選定されたコンタクトレンズのデータに基づいて生成される処方指示書データを処方を行う加盟施設の加盟施設端末３５に送信する（処方指示書データ送信手段）。通信手段７７は、第二のコンタクトレンズ送信手段によって送信されたコンタクトレンズのデータ及びユーザ識別データ２０を受信する（第二のコンタクトレンズデータ受信手段）。
【０２１３】
コンタクトレンズ選定手段７８は、ＣＰＵを含んでいる。コンタクトレンズ選定手段７８は、コンタクトレンズタイプデータ受信手段で受信したコンタクトレンズタイプデータに合致するコンタクトレンズを選定する。コンタクトレンズ選定手段７８がコンタクトレンズタイプデータ受信手段で受信したコンタクトレンズタイプデータに合致するコンタクトレンズを選定する方法は、コンタクトレンズ選定手段１７と同様である。また、コンタクトレンズ選定手段７８は、処方データ記録手段７９で記録されたデータに基づいてユーザ毎の補正を行ったうえでコンタクトレンズを選定する。具体的には、コンタクトレンズ選定手段７８は、まず、検眼データ送信手段によってセルフ検眼装置５２から送信され、検眼データ受信手段によって管理サーバ７３が受信したユーザの検眼データを取得する。
【０２１４】
次に、コンタクトレンズ選定手段７８は、コンタクトレンズの形状データ８としてデータベース８１に蓄積された複数のコンタクトレンズのベースカーブのデータを取得する。コンタクトレンズ選定手段７８は、取得したユーザの角膜形状データと複数のコンタクトレンズのベースカーブのデータとからユーザの角膜表面の複数箇所からコンタクトレンズの裏面にかけてそれぞれ引いた複数の法線方向距離を算出する。コンタクトレンズ選定手段７８は、これらの法線方向距離の差が小さくなるようなベースカーブをこのユーザに適合するコンタクトレンズのベースカーブとして選定（一次選定）する。
【０２１５】
次に、コンタクトレンズ選定手段７８は、検眼データ受信手段で受信した眼屈折率データに基づいて、球面度数、乱視度数等コンタクトレンズの度数を決定する。また、コンタクトレンズ選定手段７８は、ユーザの角膜表面の複数箇所からコンタクトレンズの裏面にかけてそれぞれ引いた複数の法線方向距離から、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【０２１６】
さらに、コンタクトレンズ選定手段７８は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段７８は、このオーバーレフ値に基づいて、このコンタクトレンズを装用した際の見え方のシミュレーションを行ってもよい。
【０２１７】
また、コンタクトレンズ選定手段７８は、検眼データ受信手段で受信した角膜横径データに基づいてコンタクトレンズの直径を決定する。例えば、コンタクトレンズ選定手段７８は、ハードタイプのコンタクトレンズの場合、検眼データ受信手段で受信した角膜横径データの値から１．５〜２．５ｍｍ程度引いた値をコンタクトレンズの直径として決定する。
【０２１８】
なお、データベース８１が、コンタクトレンズの形状データ８として、複数のコンタクトレンズのベベルの形状を蓄積し、コンタクトレンズ選定手段７８が、かかるベベルの形状を加味してコンタクトレンズを選定してもよい。
【０２１９】
続いて、コンタクトレンズ選定手段７８は、このユーザに対して過去に行われた処方結果を蓄積する処方データ８２に基づき、一次選定されたコンタクトレンズのベースカーブの値と、加盟施設で実際に最終的に処方決定されたコンタクトレンズのベースカーブの値との誤差の平均を算出する。かかる誤差の平均は、処方データ８２の誤差平均８２ａによって求められる。コンタクトレンズ選定手段７８は、一次選定されたコンタクトレンズのベースカーブの値に、かかる誤差平均分の補正を行い、このユーザに適合する最終的な一又は複数のコンタクトレンズを選定（最終選定）する。なお、このような補正は、コンタクトレンズのベースカーブの他、度数、直径等について行ってもよい。
【０２２０】
処方データ記録手段７９は、ＣＰＵを含んでいる。処方データ記録手段７９は、コンタクトレンズ選定手段７８で選定されたコンタクトレンズのデータと処方予約手段４０で予約された加盟施設によって行われた処方に関するデータとをユーザ識別データと関連付けて記録する。具体的には、処方データ記録手段７９は、まず、コンタクトレンズ選定手段７８で一次選定されたコンタクトレンズのベースカーブの値（一次選定値）をこのユーザのユーザＩＤと関連付けてデータベース８１に記録する。次に、処方データ記録手段７９は、処方予約手段４０によって予約された加盟施設において処方決定されたコンタクトレンズのベースカーブの値（処方決定値）及びこの加盟施設の加盟施設ＩＤを加盟施設端末３５から受け付け、先に記録されたユーザ識別ＩＤ及び一次選定値と関連付けてデータベース８１に記録する。処方データ記録手段７９で記録されたこれらのデータは、ユーザＩＤ毎に整理され、各ユーザの処方データ８２としてデータベース８１に蓄積される。
【０２２１】
システム使用料決済手段８０は、ＣＰＵを含んでいる。システム使用料決済手段８０は、セルフ検眼装置７２の使用料、及び当該コンタクトレンズ選定システム７１を経て入手されるコンタクトレンズの購入代金を含めたシステム使用料に対し、一括して支払われるものとして決済手続を行う。具体的には、システム使用料決済手段８０は、サービス内容等によって定められるセルフ検眼装置７２の使用料並びに管理サーバ７３によって生成される処方指示書データ等を基に定められる加盟施設のコンタクトレンズ購入料をタッチパネル１０３に表示させる。システム使用料決済手段８０は、タッチパネル１０３に表示されるシステム使用料に対する支払の承認をタッチパネル１０３を介してユーザから受けると、処方予約手段４０によって予約された処方予定日に支払われるものとして決済手続を行う。かかるセルフ検眼装置７２の使用料、及び当該コンタクトレンズ選定システム７１を経て入手されるコンタクトレンズの購入代金を含めたシステム使用料は管理サーバ７３の管理者によって一括して徴収される。
【０２２２】
データベース８１は、コンタクトレンズの形状データ８と、コンタクトレンズタイプデータ１９と、ユーザ識別データ２０と、加盟施設データ４４と、処方データ８２とを有している。
【０２２３】
処方データ８２としては、コンタクトレンズ選定手段７８で一次選定されたコンタクトレンズのベースカーブの値、処方予約手段４０によって予約された加盟施設において処方決定されたコンタクトレンズのベースカーブの値、処方決定した加盟施設の加盟施設ＩＤ及び一次選定値と処方決定値との誤差がユーザＩＤと関連付けて記録されている。具体的には、図１１に示すように、処方データ８２には、行毎に、特定のユーザのユーザＩＤと、このユーザが処方予約手段４０によって予約した加盟施設を識別するための加盟施設ＩＤと、コンタクトレンズ選定手段７８によって一次選定されたコンタクトレンズのベースカーブの値（一次選定値）と、処方予約手段４０によって予約した加盟施設で処方決定されたコンタクトレンズのベースカーブの値（処方決定値）と、一次選定値及び処方決定値の誤差とがこの順で格納されている。また、処方データ８２には、ユーザ毎に算出された一次選定値と処方選定値との誤差平均８２ａが記録されている。処方データ８２は、同一のユーザＩＤ毎にまとめられている。なお、処方データ８２としては、コンタクトレンズのベースカーブの他、コンタクトレンズの度数、直径等が含まれていてもよい。
【０２２４】
図１２を参照して、コンタクトレンズ選定システム７１の動作手順について説明する。
【０２２５】
検眼データ取得ステップ（ＳＴＰ５１）は、ユーザの操作に基づいてこのユーザの角膜形状を測定し、検眼データとしてこのユーザの角膜形状データを取得するステップである。ＳＴＰ５１は、検眼データ取得手段５５によって行われる。ＳＴＰ５１は、ＳＴＰ３１と同様の手順で行われる。
【０２２６】
検眼データ送信ステップ（ＳＴＰ５２）は、ＳＴＰ５１で取得された検眼データをこのユーザのユーザ識別データと関連付けて管理サーバ７３に送信するステップである。ＳＴＰ５２は、通信手段７４によって行われる。ＳＴＰ５２では、通信手段７４は、タッチパネル１０３を介してユーザから入力されたこのユーザを示すユーザＩＤと、ＳＴＰ５１で取得された検眼データとを関連付けて管理サーバ７３に送信する。なお、ＳＴＰ５２では、必ずしもユーザから入力されたユーザＩＤを送信する必要はなく、予めユーザ識別データ２０として蓄積され管理サーバ７３から受信したユーザＩＤを送信してもよい。
【０２２７】
検眼データ受信ステップ（ＳＴＰ５３）は、ＳＴＰ５２で送信された検眼データ及びユーザ識別データを受信するステップである。ＳＴＰ５３は、通信手段７７によって行われる。
【０２２８】
コンタクトレンズタイプ受信ステップ（ＳＴＰ５４）は、ユーザが希望するコンタクトレンズタイプを受け付けるステップである。ＳＴＰ５４は、コンタクトレンズタイプ受信手段１６によって行われる。ＳＴＰ５４は、ＳＴＰ１２と同様の手順によって行われる。
【０２２９】
コンタクトレンズタイプデータ送信ステップ（ＳＴＰ５５）は、ＳＴＰ５４で受信したコンタクトレンズタイプデータを管理サーバ７３に送信するステップである。ＳＴＰ５５は通信手段７４によって行われる。
【０２３０】
コンタクトレンズタイプデータ受信ステップ（ＳＴＰ５６）は、ＳＴＰ５５で送信されたコンタクトレンズタイプデータを受信するステップである。ＳＴＰ５６は通信手段７７によって行われる。
【０２３１】
コンタクトレンズ選定ステップ（ＳＴＰ５７）は、ＳＴＰ５６で受信したコンタクトレンズタイプデータに合致し、かつユーザに適合する一又は複数のコンタクトレンズを選定するステップである。ＳＴＰ５７では、処方データ記録手段７９で記録されたデータに基づいてユーザ毎の補正を行ったうえでコンタクトレンズを選定する。ＳＴＰ５７は、コンタクトレンズ選定手段７８によって行われる。具体的には、まず、コンタクトレンズ選定手段７８は、ＳＴＰ５３で受信したユーザの角膜形状データとコンタクトレンズの形状データ８としてデータベース８１に蓄積された複数のコンタクトレンズのベースカーブのデータとから、このユーザの角膜表面の複数箇所からコンタクトレンズの裏面にかけてそれぞれ引いた複数の法線方向距離を算出する。コンタクトレンズ選定手段７８は、これらの法線方向距離の差が小さくなるようなベースカーブをこのユーザに適合するコンタクトレンズのベースカーブとして選定（一次選定）する。
【０２３２】
次に、コンタクトレンズ選定手段７８は、ＳＴＰ５３で受信した眼屈折率データに基づいて、球面度数、乱視度数等コンタクトレンズの度数を決定する。また、コンタクトレンズ選定手段７８は、ユーザの角膜表面の複数箇所からコンタクトレンズの裏面にかけてそれぞれ引いた複数の法線方向距離から、ユーザの角膜表面とコンタクトレンズの裏面との間に形成される空間データを算出し、この空間データをこのユーザの角膜表面とコンタクトレンズの裏面との間に形成される涙液層のデータとして取得し、この涙液層の形状を加味してコンタクトレンズの度数を決定するようにしてもよい。このようなコンタクトレンズの度数を決定する方法としては、例えば、空気の層、コンタクトレンズの層、涙液層及び角膜をそれぞれレンズ群として捉え、コンタクトレンズ装着時の全体の収差のシミュレーションを行い、かかるシミュレーションの結果に基づいてユーザに適したコンタクトレンズの球面度数、乱視度数を決定する方法が挙げられる。
【０２３３】
さらに、コンタクトレンズ選定手段７８は、検眼データ、空間データ及び選択したコンタクトレンズの形状データをもとにユーザがコンタクトレンズを装用した状態での屈折値（オーバーレフ値）を計算してもよい。加えて、コンタクトレンズ選定手段７８は、このオーバーレフ値に基づいて、このコンタクトレンズを装用した際の見え方のシミュレーションを行ってもよい。
【０２３４】
また、コンタクトレンズ選定手段７８は、ＳＴＰ５３で受信した角膜横径データに基づいてコンタクトレンズの直径を決定する。例えば、コンタクトレンズ選定手段７８は、ハードタイプのコンタクトレンズの場合、ＳＴＰ５３で受信した角膜横径データの値から１．５〜２．５ｍｍ程度引いた値をコンタクトレンズの直径として決定する。
【０２３５】
なお、データベース８１が、コンタクトレンズの形状データ８として、複数のコンタクトレンズのベベルの形状を蓄積し、コンタクトレンズ選定手段７８が、かかるベベルの形状を加味してコンタクトレンズを選定してもよい。
【０２３６】
続いて、コンタクトレンズ選定手段７８は、このユーザに対して過去に行われた処方結果を蓄積する処方データ８２に基づき、一次選定されたコンタクトレンズのベースカーブの値と、加盟施設で実際に最終的に処方決定されたコンタクトレンズのベースカーブの値との誤差の平均を算出する。かかる誤差の平均は、処方データ８２の誤差平均８２ａによって求められる。コンタクトレンズ選定手段７８は、一次選定されたコンタクトレンズのベースカーブの値に、かかる誤差平均分の補正を行い、このユーザに適合する最終的な一又は複数のコンタクトレンズを選定（最終選定）する。なお、このような補正は、コンタクトレンズのベースカーブの他、度数、直径等について行ってもよい。
【０２３７】
続いて、コンタクトレンズ選定手段７８は、コンタクトレンズの形状データ８及びコンタクトレンズタイプデータ１９を参照して、ＳＴＰ５６で受信したコンタクトレンズタイプデータに合致するコンタクトレンズの中から、最終選定したコンタクトレンズの形状に適合する一又は複数のコンタクトレンズをこのユーザに合致するコンタクトレンズとして選定する。
【０２３８】
第一のコンタクトレンズデータ送信ステップ（ＳＴＰ５８）は、ＳＴＰ５７で選定されたコンタクトレンズのデータをセルフ検眼装置７２に送信するステップである。ＳＴＰ５８は、通信手段７７によって行われる。
【０２３９】
第一のコンタクトレンズデータ受信ステップ（ＳＴＰ５９）は、ＳＴＰ５８で送信されたコンタクトレンズのデータを受信するステップである。ＳＴＰ５９は、通信手段７４によって行われる。
【０２４０】
コンタクトレンズ表示ステップ（ＳＴＰ６０）は、ＳＴＰ５９で受信した一又は複数のコンタクトレンズのデータを表示するステップである。ＳＴＰ６０は、コンタクトレンズ表示手段５６によって行われる。ＳＴＰ６０は、ＳＴＰ４０と同様の手順で行われる。
【０２４１】
ユーザ選択ステップ（ＳＴＰ６１）は、ＳＴＰ６０で表示された一又は複数のコンタクトレンズから任意のコンタクトレンズをユーザに選択させるステップである。ＳＴＰ６１は、ユーザ選択手段５によって行われる。ＳＴＰ６１は、ＳＴＰ４と同様の手順によって行われる。
【０２４２】
第二のコンタクトレンズデータ送信ステップ（ＳＴＰ６２）は、ＳＴＰ６１で選択されたコンタクトレンズのデータを、データベース８１に蓄積され又はユーザから入力されたこのユーザのユーザ識別データ２０と関連付けて管理サーバ７３に送信するステップである。ＳＴＰ６２は、通信手段７４によって行われる。
【０２４３】
第二のコンタクトレンズデータ受信ステップ（ＳＴＰ６３）は、ＳＴＰ６２で送信されたコンタクトレンズのデータ及びユーザ識別データ２０を受信するステップである。ＳＴＰ６３は、通信手段７７によって行われる。
【０２４４】
加盟施設表示ステップ（ＳＴＰ６４）は、加盟施設端末３５と関連付けられる加盟施設に関するデータを表示するステップである。ＳＴＰ６４は、加盟施設表示手段７６によって行われる。ＳＴＰ６４では、加盟施設表示手段７６は、ユーザから処方可能な加盟施設を表示する旨の指示がタッチパネル１０３の押下を通じて伝えられると、データベース８１に蓄積される加盟施設データ４４を取得し、加盟施設端末３５と関連付けられている加盟施設に関するデータをタッチパネル１０３に表示させる。かかる加盟施設に関するデータとしては、加盟施設名、住所、連絡先、この加盟施設に所属する眼科医、コンタクトレンズ料金を含む料金体系等が挙げられる。なお、タッチパネル１０３には、加盟施設名等が一覧として表示されるようにしてもよく、ユーザの指示等に従って特定地域の加盟施設や処方料が一定以下の加盟施設のみを表示するようにしてもよく、またセルフ検眼装置７２の設置場所に近い加盟施設を重点的に表示するようにしてもよい。
【０２４５】
処方予約ステップ（ＳＴＰ６５）は、ユーザの操作に基づいて、ＳＴＰ６４で表示される加盟施設に対する処方予約を行うステップである。ＳＴＰ６５は、処方予約手段４０によって行われる。ＳＴＰ６５は、ＳＴＰ２１と同様の手順で行われる。
【０２４６】
印字ステップ（ＳＴＰ６６）は、ＳＴＰ５１で取得された検眼データ及びＳＴＰ５９で受信したコンタクトレンズのデータを印字するステップである。ＳＴＰ６６は、印字手段５７によって行われる。ＳＴＰ６６は、ＳＴＰ４４と同様の手順で行われる。
【０２４７】
処方指示書データ送信ステップ（ＳＴＰ６７）は、ＳＴＰ５３で受信した検眼データ及びＳＴＰ５７で選定されたコンタクトレンズのデータに基づいて生成される処方指示書データを処方を行う加盟施設の加盟施設端末３５に送信するステップである。ＳＴＰ６７は、通信手段７７によって行われる。ＳＴＰ６７は、ＳＴＰ４５と同様の手順で行われる。
【０２４８】
処方指示書データ受信ステップ（ＳＴＰ６８）は、ＳＴＰ６７で送信された処方指示書データを受信するステップである、ＳＴＰ６８は、通信手段４９によって行われる。
【０２４９】
配送補助ステップ（ＳＴＰ６９）は、ＳＴＰ６７で送信するコンタクトレンズのデータに対応するコンタクトレンズをＳＴＰ６５で予約された加盟施設に対して配送するための配送手続を行うステップである。ＳＴＰ６９は、配送補助手段４７によって行われる。ＳＴＰ６９は、ＳＴＰ２５と同様の手順で行われる。
【０２５０】
システム使用料決済ステップ（ＳＴＰ７０）は、セルフ検眼装置７２の使用料、及び当該コンタクトレンズ選定システム７１を経て入手されるコンタクトレンズの購入代金を含めたシステム使用料に対し、一括して支払われるものとして決済手続を行う。ＳＴＰ７０は、システム使用料決済手段８０によって行われる。具体的には、システム使用料決済手段８０は、サービス内容等によって定められるセルフ検眼装置７２の使用料並びに管理サーバ７３によって生成される処方指示書データ等を基に定められる加盟施設のコンタクトレンズ購入料をタッチパネル１０３に表示させる。システム使用料決済手段８０は、タッチパネル１０３に表示されるシステム使用料に対する支払の承認をタッチパネル１０３を介してユーザから受けると、処方予約手段４０によって予約された処方予定日に支払われるものとして決済手続を行う。かかるセルフ検眼装置７２の使用料、及び当該コンタクトレンズ選定システム７１を経て入手されるコンタクトレンズの購入代金を含めたシステム使用料は、管理サーバ７３の管理者によって一括して徴収される。
【０２５１】
処方データ記録ステップ（ＳＴＰ７１）は、ＳＴＰ５７で一次選定されたコンタクトレンズのデータとＳＴＰ６５で処方予約された加盟施設で行われた処方に関するデータとをユーザ識別データと関連付けて記録するステップである。ＳＴＰ７１は、処方データ記録手段７９によって行われる。ＳＴＰ７１では、処方データ記録手段７９は、まず、ＳＴＰ５７で一次選定されたコンタクトレンズのベースカーブの値（一次選定値）をこのユーザのユーザＩＤと関連付けてデータベース８１に記録する。次に、処方データ記録手段７９は、ＳＴＰ６５で処方予約された加盟施設において処方決定されたコンタクトレンズのベースカーブの値（処方決定値）及びこの加盟施設の加盟施設ＩＤを、先に記録されたユーザ識別ＩＤ及び一次選定値と関連付けてデータベース８１に記録する。ＳＴＰ７１で記録されたこれらのデータは、ユーザＩＤ毎に整理され、各ユーザの処方データ８２としてデータベース８１に蓄積される。なお、ＳＴＰ７１では、処方データ８２として蓄積される各データは、必ずしも同時に記録される必要はなく、例えば、ユーザＩＤ及び一次選定値がＳＴＰ５７の後に記録され、処方決定値及びこの加盟施設の加盟施設ＩＤがＳＴＰ７０の後に記録されてもよい。
【０２５２】
なお、当該コンタクトレンズ選定システム７１は、一定期間内に当該コンタクトレンズ選定システム７１を利用してコンタクトレンズを処方又は購入したユーザに対しては、上記各ステップを行う代わりに又はユーザの選択に応じて、問診手段５０によって表示される問診データに対する回答を受け付けるようにしてもよい（問診ステップ）。この場合、問診手段５０は、上記問診データに対するユーザの回答が所定の条件を満たしている場合、このユーザのユーザＩＤと、このユーザが前回処方されたコンタクトレンズのデータとを関連付けて配送補助手段４７に送信する。そして、配送補助手段４７は、このユーザＩＤ及びこのユーザが前回処方されたコンタクトレンズのデータが送信された場合、このコンタクトレンズのデータに対応するコンタクトレンズをこのユーザに対して配送するための配送手続を行う。
【０２５３】
当該コンタクトレンズ選定システム７１は、新規のユーザであっても自らの操作により手軽に利用することができ、自分に合ったコンタクトレンズを知ることができる。当該コンタクトレンズ選定システム７１は、データベース８１に蓄積される複数のコンタクトレンズの形状データ８をもとにコンタクトレンズ選定手段７８がユーザに適合する一又は複数のコンタクトレンズを選定するので、データベース８１に、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。当該コンタクトレンズ選定システム７１は、処方指示書データ送信手段によって送信される処方指示書データを処方を行う加盟施設が利用することにより、ユーザの処方時間の短縮及びこのユーザに対する処方の高度化を図ることができるとともに、このユーザのコンタクトレンズの購入手続をスムーズに行うことができる。
【０２５４】
当該コンタクトレンズ選定システム７１は、コンタクトレンズ選定手段７８が、処方データ記録手段７９で記録されたデータに基づいてユーザ毎の補正を行うことができるので、当該コンタクトレンズ選定システム７１を複数回使用したユーザに対し、コンタクトレンズ選定手段７９によって選定されるコンタクトレンズのフィッティング性をさらに向上させることができる。
【０２５５】
当該コンタクトレンズ選定システム７１は、システム使用料決済手段８０によって、セルフ検眼装置７２の使用料、及び当該コンタクトレンズ選定システム７１を経て入手されるコンタクトレンズの購入代金を含めたシステム使用料の決済手続を行うことができる。従って、当該コンタクトレンズ選定システム７１によると、ユーザの支払手続を適性時期に一括して行うことができ、ひいては決済手続の効率化を図ることができる。
【０２５６】
また、当該コンタクトレンズ選定システム７１によると、セルフ検眼装置７２の使用料、及び配送補助手段４７によって手続され、加盟施設に配送されたコンタクトレンズの購入代金を、システム使用料決済手段８０によって一括して徴収することができる。それゆえ、当該コンタクトレンズ選定システム７１によると、配送補助手段４７によって配送手続されるコンタクトレンズを管理サーバ７３の管理者の直販とし、加盟施設に対してはこの管理者から一定の手数料を支払うという販売形態を容易かつ確実に構築することができる。その結果、当該コンタクトレンズ選定システム７１は、管理サーバ７３を中心としたコンタクトレンズの在庫管理の容易性、確実性等を向上させることができるとともに、加盟施設における在庫の過不足を効果的に解消することができる。
【０２５７】
なお、本発明のセルフ検眼装置、管理サーバ及びコンタクトレンズ選定システムは、上記態様の他、種々の変更、改良を施した態様で実施することができる。例えば、本発明のセルフ検眼装置、管理サーバ及びコンタクトレンズ選定システムは、上記実施形態に開示されている複数の構成要素の適宜な組み合わせにより、種々の発明を形成することができる。また、本発明の基礎データ測定端末とユーザ操作端末とは各々独立して存在していてもよく、例えば、基礎データ測定端末は、必ずしもタッチパネルを介してユーザの指示を受け付ける必要はない。
【０２５８】
当該セルフ検眼装置は、検眼データ取得手段が、検眼データとしてユーザの角膜形状データを取得し、コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定してもよい。これにより、選定されるコンタクトレンズのユーザに対するフィッティング性をさらに向上させることができる。
【０２５９】
当該セルフ検眼装置は、処方データ記録手段が、コンタクトレンズ選定手段で選定されたコンタクトレンズのデータと加盟施設によって行われた処方に関するデータとをユーザ識別データと関連づけて記録し、コンタクトレンズ選定手段が、処方データ記録手段で記録されたデータに基づいてユーザ毎の補正を行ってもよい。これにより、当該セルフ検眼装置を複数回使用したユーザに対し、コンタクトレンズ選定手段によって選定されるコンタクトレンズのフィッティング性をさらに向上させることができる。
【０２６０】
当該セルフ検眼装置は、現金処理に加えて又は現金処理に代えて、カード支払可能に構成されていてもよい。
【０２６１】
当該管理サーバは、検眼データ受信手段が、ユーザの角膜表面の複数箇所における曲率データを受信し、コンタクトレンズ選定手段が、この曲率データの最大値と最小値との平均値を算出し、この平均値に基づいてコンタクトレンズを選定してもよい。これにより、ユーザの角膜表面の複数の曲率データを得ることで、このユーザに適したコンタクトレンズを容易かつ迅速に選定することができる。
【０２６２】
当該管理サーバは、コンタクトレンズ選定手段が、検眼データとして取得された複数箇所の曲率データのうちの最大値から最小値を引いた値に基づく補正を行ったうえでコンタクトレンズを選定してもよい。これにより、選定されるコンタクトレンズのユーザに対するフィッティング性を向上させることができる。
【０２６３】
また、コンタクトレンズ選定手段は、処方データ記録手段で記録されたデータに基づいて補正を行う場合であっても、必ずしも、一次選定されたコンタクトレンズのベースカーブの値と、加盟施設で実際に最終的に処方決定されたコンタクトレンズのベースカーブの値との誤差の平均に基づいて補正する必要はなく、直近の誤差データ等任意に設定される特定の誤差に基づいて補正してもよい。
【０２６４】
さらに、コンタクトレンズ選定手段が検眼データとして取得された複数箇所の曲率データのうちの最大値と最小値とから平均値を算出し、この平均値に基づいてコンタクトレンズを選定する方法としては、かかる平均値と、コンタクトレンズのベースカーブの値とを比較して、これらの値の差が小さいものをユーザに適したコンタクトレンズとして選定してもよい。
【０２６５】
本発明で用いられるコンタクトレンズの形状データ、ユーザ識別データ、加盟施設データ、処方データ等は、必ずしも特定の装置（セルフ検眼装置、管理サーバ、加盟施設端末等）に保管されている必要はなく、その他の外部装置等から送受信されるものであってもよい。
【０２６６】
当該コンタクトレンズ選定システムは、必ずしも加盟施設等の処方を経てユーザが購入するコンタクトレンズを選定する必要はなく、コンタクトレンズ選定手段で選定されたコンタクトレンズをユーザが購入するようにしてもよい。またこの場合、当該コンタクトレンズ選定システムは、ユーザの自宅や職場等のデータをコンタクトレンズ配送先データとして取得し、この配送先に対してコンタクトレンズ配送手続を行うようにしてもよい。
【０２６７】
当該コンタクトレンズ選定システムは、セルフ検眼装置が複数のコンタクトレンズの在庫を保有していてもよい。さらに、当該コンタクトレンズ選定システムは、問診手段によって表示される問診データに対するユーザの回答が所定の条件を満たしていた場合、セルフ検眼装置が在庫として保有するコンタクトレンズをユーザに提供するようにしてもよい。また、市販のパソコンから問診データを取得し、かつ市販のパソコンから問診データに対して回答できるようにしてもよい。
【０２６８】
当該コンタクトレンズ選定システムは、特定のホームページでセルフ検眼装置の設置場所を案内するようにしてもよい。これにより、ユーザの利便性をさらに高めることができる。当該コンタクトレンズ選定システムは、ユーザ識別データ等の所定のデータをＷＥＢ上で入力（登録）できるようにしてもよい。これにより、セルフ検眼装置で行う手続の簡素化を図ることができる。当該コンタクトレンズ選定システムは、コンタクトレンズ表示手段が、コンタクトレンズの推奨理由や各々のコンタクトレンズのメリット・デメリット等の特性を表示するようにしてもよい。また、これらの推奨理由は、ユーザの生活提案や問診結果等に基づいて決定されてもよい。
【０２６９】
本発明のセルフ検眼装置としては、上記構成を満たすものである限り、市販のパソコン等を用いることもできる。
【産業上の利用可能性】
【０２７０】
以上のように、本発明のセルフ検眼装置、管理サーバ及びコンタクトレンズ選定システムは、眼科医の処方時間を短縮させ又は仮に眼科医の処方がなくとも、ユーザにとって好ましいコンタクトレンズを容易かつ確実に選定することができる。従って、本発明のセルフ検眼装置は、新規のユーザであるか既存のユーザであるかを問わず手軽に立ち寄ることができる点から、コンタクトレンズ販売店、眼鏡店、眼科施設、ドラックストア、駅、コンビニエンスストア等の内外等に設置するのに適している。
【符号の説明】
【０２７１】
１  セルフ検眼装置
２  検眼データ取得手段
３  コンタクトレンズ表示手段
４  コンタクトレンズ選定手段
５  ユーザ選択手段
６  印字手段
７  データベース
８  コンタクトレンズの形状データ
１１  コンタクトレンズ選定システム
１２  セルフ検眼装置
１３  ネットワーク
１４  管理サーバ
１５  通信手段
１６  コンタクトレンズタイプ受信手段
１７  コンタクトレンズ選定手段
１８  データベース
１９  コンタクトレンズタイプデータ
２０  ユーザ識別データ
２１  通信手段
３１  コンタクトレンズ選定システム
３２  セルフ検眼装置
３３  ネットワーク
３４  管理サーバ
３５  加盟施設端末
３６  通信手段
３７  表示手段
３８  加盟施設表示手段
３９  コンタクトレンズ選定手段
４０  処方予約手段
４１  印字手段
４２  処方データ記録手段
４３  データベース
４４  加盟施設データ
４５  処方データ
４６  通信手段
４７  配送補助手段
４８  使用料決済手段
４９  通信手段
５０  問診手段
５１  コンタクトレンズ選定システム
５２  セルフ検眼装置
５３  管理サーバ
５４  通信手段
５５  検眼データ取得手段
５６  コンタクトレンズ表示手段
５７  印字手段
５８  データベース
５９  通信手段
６０  コンタクトレンズ選定手段
６１  データベース
７１  コンタクトレンズ選定システム
７２  セルフ検眼装置
７３  管理サーバ
７４  通信手段
７５  表示手段
７６  加盟施設表示手段
７７  通信手段
７８  コンタクトレンズ選定手段
７９  処方データ記録手段
８０  システム使用料決済手段
８１  データベース
８２  処方データ
１０１  基礎データ測定端末
１０２  ユーザ操作端末
１０３  タッチパネル
１０４  排紙部
１０５  椅子
【図１】
2013094030.tif 000003
【図２】
2013094030.tif 000004
【図３】
2013094030.tif 000005
【図４】
2013094030.tif 000006
【図５】
2013094030.tif 000007
【図６】
2013094030.tif 000008
【図７】
2013094030.tif 000009
【図８】
2013094030.tif 000010
【図９】
2013094030.tif 000011
【図１０】
2013094030.tif 000012
【図１１】
2013094030.tif 000013
【図１２】
2013094030.tif 000014
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と
を備え、
上記検眼データ取得手段が、上記ユーザの眼屈折率データを取得し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定するセルフ検眼装置。
【請求項２】
上記検眼データ取得手段が、検眼データとして上記ユーザの角膜表面の複数箇所における曲率データを取得し、
上記コンタクトレンズ選定手段が、検眼データとして取得された複数箇所の曲率データのうち最大値と最小値とから平均値を算出し、この平均値に基づいてコンタクトレンズを選定する請求項１に記載のセルフ検眼装置。
【請求項３】
上記コンタクトレンズ選定手段が、上記検眼データとして取得された複数箇所の曲率データのうちの最大値から最小値を引いた値に基づく補正を行ったうえでコンタクトレンズを選定する請求項２に記載のセルフ検眼装置。
【請求項４】
上記検眼データ取得手段が、検眼データとして上記ユーザの角膜形状データを取得し、
上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定する請求項１に記載のセルフ検眼装置。
【請求項５】
上記コンタクトレンズ表示手段が、上記涙液層の形状を示すフルオレスセインパターンを表示する請求項１から請求項４のいずれか１項に記載のセルフ検眼装置。
【請求項６】
上記コンタクトレンズ選定手段が、上記検眼データ、空間データ及び選択したコンタクトレンズの形状データをもとにコンタクトレンズを装用した状態での屈折値（オーバーレフ値）を計算し、
上記コンタクトレンズ表示手段が、このオーバーレフ値を表示する請求項１から請求項５のいずれか１項に記載のセルフ検眼装置。
【請求項７】
上記コンタクトレンズ選定手段が、上記オーバーレフ値に基づいて上記コンタクトレンズを装用した際の見え方のシミュレーションを行い、
上記コンタクトレンズ表示手段が、この見え方のシミュレーションの結果を表示する請求項６に記載のセルフ検眼装置。
【請求項８】
上記検眼データ取得手段が、ユーザの角膜横径データを取得し、
上記コンタクトレンズ選定手段が、この角膜横径データに基づいてコンタクトレンズの直径を決定する請求項１から請求項７のいずれか１項に記載のセルフ検眼装置。
【請求項９】
ユーザが希望するコンタクトレンズタイプの入力を受信するコンタクトレンズタイプ受信手段を備え、
上記コンタクトレンズ選定手段が、上記コンタクトレンズタイプ受信手段で受信したコンタクトレンズタイプに合致するコンタクトレンズを選定する請求項１から請求項８のいずれか１項に記載のセルフ検眼装置。
【請求項１０】
上記コンタクトレンズ表示手段が複数のコンタクトレンズを表示し、
上記コンタクトレンズ表示手段によって表示された複数のコンタクトレンズから任意のコンタクトレンズをユーザに選択させるユーザ選択手段を備える請求項１から請求項９のいずれか１項に記載のセルフ検眼装置。
【請求項１１】
コンタクトレンズの処方可能な複数の加盟施設に関するデータを表示する加盟施設表示手段と、
上記加盟施設表示手段によって表示された加盟施設から任意の加盟施設をユーザに選択させ、ユーザの操作に基づいてこの加盟施設に対する処方予約を行う処方予約手段と
を備える請求項１から請求項１０のいずれか１項に記載のセルフ検眼装置。
【請求項１２】
上記検眼データ取得手段によって取得された検眼データ及び上記コンタクトレンズ選定手段によって選定されたコンタクトレンズのデータを印字する印字手段を備える請求項１から請求項１１のいずれか１項に記載のセルフ検眼装置。
【請求項１３】
上記コンタクトレンズ選定手段で選定されたコンタクトレンズのデータと上記処方予約手段で予約された加盟施設によって行われた処方に関するデータとの対応を記録する処方データ記録手段を備え、
上記コンタクトレンズ選定手段が、上記処方データ記録手段で記録されたデータに基づいた補正を行ったうえでコンタクトレンズを選定する請求項１１に記載のセルフ検眼装置。
【請求項１４】
上記処方データ記録手段が、上記コンタクトレンズ選定手段で選定されたコンタクトレンズのデータと上記加盟施設によって行われた処方に関するデータとをユーザ識別データと関連づけて記録し、
上記コンタクトレンズ選定手段が、上記処方データ記録手段で記録されたデータに基づいてユーザ毎の補正を行う請求項１３に記載のセルフ検眼装置。
【請求項１５】
上記検眼データ取得手段によって取得された検眼データをユーザ識別データと関連付けてネットワーク送信する検眼データ送信手段を備える請求項１から請求項１４のいずれか１項に記載のセルフ検眼装置。
【請求項１６】
上記検眼データ取得手段によって取得された検眼データ及び上記コンタクトレンズ選定手段によって選定されたコンタクトレンズのデータをユーザ識別データと関連付けて処方関連データとしてネットワーク送信する処方関連データ送信手段を備える請求項１から請求項１５のいずれか１項に記載のセルフ検眼装置。
【請求項１７】
請求項１から請求項１６のいずれか１項に記載のセルフ検眼装置とネットワーク通信可能な管理サーバであって、
検眼データ及び上記コンタクトレンズ選定手段によって選定されたコンタクトレンズのデータをユーザ識別情報と関連付けて処方関連データとして受信する処方関連データ受信手段と、
上記処方関連データ受信手段によって受信した処方関連データに基づいて生成される処方指示書データをネットワーク送信する処方指示書データ送信手段と
を備える管理サーバ。
【請求項１８】
ユーザの操作に基づいてこのユーザの角膜形状の少なくとも一部を測定し、この角膜形状に基づく検眼データを取得する検眼データ取得手段と、この検眼データをユーザ識別データと関連付けてネットワーク送信する検眼データ送信手段と、この検眼データとコンタクトレンズの形状データとに基づいて選定されたコンタクトレンズのデータを受信する第一のコンタクトレンズデータ受信手段と、この第一のコンタクトレンズデータ受信手段によって受信したコンタクトレンズのデータを表示するコンタクトレンズ表示手段とを備えるセルフ検眼装置とネットワーク通信可能な管理サーバであって、
複数のコンタクトレンズの形状データを蓄積するデータベースを備え、
上記セルフ検眼装置から送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備え、
上記検眼データ受信手段が、上記ユーザの眼屈折率データを受信し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定する管理サーバ。
【請求項１９】
上記検眼データ受信手段が、ユーザの角膜表面の複数箇所における曲率データを受信し、
上記コンタクトレンズ選定手段が、この複数箇所の曲率データのうち最大値と最小値とから平均値を算出し、この平均値に基づいてコンタクトレンズを選定する請求項１８に記載の管理サーバ。
【請求項２０】
上記コンタクトレンズ選定手段が、上記検眼データとして取得された複数箇所の曲率データのうちの最大値から最小値を引いた値に基づく補正を行ったうえでコンタクトレンズを選定する請求項１９に記載の管理サーバ。
【請求項２１】
上記検眼データ受信手段が、ユーザの角膜形状データを受信し、
上記コンタクトレンズ選定手段が、この角膜形状データと上記コンタクトレンズの形状データとから角膜表面からコンタクトレンズの裏面への法線方向距離を算出し、この法線方向距離に基づいてコンタクトレンズを選定する請求項１８に記載の管理サーバ。
【請求項２２】
上記第一のコンタクトレンズデータ送信手段が、上記涙液層の形状を示すフルオレスセインパターンを上記セルフ検眼装置に送信する請求項１８から請求項２１のいずれか１項に記載の管理サーバ。
【請求項２３】
上記コンタクトレンズ選定手段が、上記検眼データ、空間データ及び選択したコンタクトレンズの形状データをもとにコンタクトレンズを装用した状態での屈折値（オーバーレフ値）を計算し、
上記第一のコンタクトレンズデータ送信手段が、このオーバーレフ値を上記セルフ検眼装置に送信する請求項１８から請求項２２のいずれか１項に記載の管理サーバ。
【請求項２４】
上記コンタクトレンズ選定手段が、上記オーバーレフ値に基づいて上記コンタクトレンズを装用した際の見え方のシミュレーションを行い、
上記第一のコンタクトレンズデータ送信手段が、この見え方のシミュレーションの結果データを上記セルフ検眼装置に送信する請求項２３に記載の管理サーバ。
【請求項２５】
上記検眼データ受信手段が、ユーザの角膜横径データを受信し、
上記コンタクトレンズ選定手段が、この角膜横径データに基づいてコンタクトレンズの直径を決定する請求項１８から請求項２４のいずれか１項に記載の管理サーバ。
【請求項２６】
ユーザが希望するコンタクトレンズのコンタクトレンズタイプデータを受信するコンタクトレンズタイプデータ受信手段を備え、
上記コンタクトレンズ選定手段が、上記コンタクトレンズタイプデータに合致するコンタクトレンズを選定する請求項１８から請求項２５のいずれか１項に記載の管理サーバ。
【請求項２７】
上記検眼データ及び上記コンタクトレンズ選定手段によって選定されたコンタクトレンズのデータに基づいて生成される処方指示書データをネットワーク送信する処方指示書データ送信手段を備える請求項１８から請求項２６のいずれか１項に記載の管理サーバ。
【請求項２８】
セルフ検眼装置と、このセルフ検眼装置とネットワーク通信可能な管理サーバとを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信したコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備え、
上記検眼データ受信手段が、上記ユーザの眼屈折率データを受信し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定するコンタクトレンズ選定システム。
【請求項２９】
上記コンタクトレンズ表示手段が、複数のコンタクトレンズを表示し、
上記セルフ検眼装置が、
上記コンタクトレンズ表示手段によって表示された複数のコンタクトレンズから任意のコンタクトレンズをユーザに選択させるユーザ選択手段と、
上記ユーザ選択手段によって選択されたコンタクトレンズのデータをユーザ識別データと関連付けて上記管理サーバに送信する第二のコンタクトレンズデータ送信手段と
を備え、
上記管理サーバが、
上記第二のコンタクトレンズ送信手段によって送信されたコンタクトレンズのデータ及びユーザ識別データを受信する第二のコンタクトレンズデータ受信手段を備える請求項２８に記載のコンタクトレンズ選定システム。
【請求項３０】
上記セルフ検眼装置が、上記検眼データ取得手段によって取得された検眼データ及び上記第一のコンタクトレンズデータ受信手段によって受信したコンタクトレンズのデータを印字する印字手段を備える請求項２８又は請求項２９に記載のコンタクトレンズ選定システム。
【請求項３１】
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と、
上記検眼データ取得手段によって取得された検眼データ及び上記コンタクトレンズ選定手段によって選定されたコンタクトレンズのデータをユーザ識別データと関連付けて処方関連データとして上記管理サーバに送信する処方関連データ送信手段と
を備え、
上記検眼データ取得手段が、上記ユーザの眼屈折率データを取得し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定し、
上記管理サーバが、
上記処方関連データ送信手段によって送信された処方関連データを受信する処方関連データ受信手段と、
上記処方関連データ受信手段によって受信した処方関連データに基づいて生成される処方指示書データを処方を行う加盟施設の加盟施設端末に送信する処方指示書データ送信手段と
を備え、
上記処方を行う加盟施設の加盟施設端末が、
上記処方指示書データ送信手段によって送信された処方指示書データを受信する処方指示書データ受信手段を備えるコンタクトレンズ選定システム。
【請求項３２】
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信した一又は複数のコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
この検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と、
上記検眼データ受信手段によって受信した検眼データ及び上記コンタクトレンズ選定手段によって選定されたコンタクトレンズのデータに基づいて生成される処方指示書データを処方を行う加盟施設の加盟施設端末に送信する処方指示書データ送信手段と
を備え、
上記検眼データ受信手段が、上記ユーザの眼屈折率データを受信し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定し、
上記処方を行う加盟施設の加盟施設端末が、
上記処方指示書データ送信手段によって送信された処方指示書データを受信する処方指示書データ受信手段を備えるコンタクトレンズ選定システム。
【請求項３３】
上記コンタクトレンズ表示手段が、複数のコンタクトレンズを表示し、
上記セルフ検眼装置が、
上記コンタクトレンズ表示手段によって表示された複数のコンタクトレンズから任意のコンタクトレンズをユーザに選択させるユーザ選択手段と、
上記ユーザ選択手段によって選択されたコンタクトレンズのデータをユーザ識別データと関連付けて上記管理サーバに送信する第二のコンタクトレンズデータ送信手段と
を備え、
上記管理サーバが、
上記第二のコンタクトレンズ送信手段によって送信されたコンタクトレンズのデータ及びユーザ識別データを受信する第二のコンタクトレンズデータ受信手段を備え、
上記処方指示書データ送信手段が、上記第二のコンタクトレンズデータ受信手段によって受信したコンタクトレンズのデータを加味した処方指示書データを送信する請求項３１又は請求項３２に記載のコンタクトレンズ選定システム。
【請求項３４】
上記セルフ検眼装置が、
上記加盟施設端末と関連付けられる加盟施設に関するデータを表示する加盟施設表示手段と、
上記加盟施設表示手段によって表示された加盟施設から任意の加盟施設をユーザに選択させ、ユーザの操作に基づいてこの加盟施設に対する処方予約を行う処方予約手段と
を備える請求項３１、請求項３２又は請求項３３に記載のコンタクトレンズ選定システム。
【請求項３５】
上記管理サーバが、
上記コンタクトレンズ選定手段で選定されたコンタクトレンズのデータと上記処方予約手段で予約された加盟施設によって行われた処方に関するデータとの対応を記録する処方データ記録手段を備え、
上記コンタクトレンズ選定手段が、上記処方データ記録手段で記録されたデータに基づいた補正を行ったうえでコンタクトレンズを選定する請求項３４に記載のコンタクトレンズ選定システム。
【請求項３６】
上記処方データ記録手段が、上記コンタクトレンズ選定手段で選定されたコンタクトレンズのデータと上記加盟施設によって行われた処方に関するデータとをユーザ識別データと関連づけて記録し、
上記コンタクトレンズ選定手段が、上記処方データ記録手段で記録されたデータに基づいてユーザ毎の補正を行う請求項３５に記載のコンタクトレンズ選定システム。
【請求項３７】
上記管理サーバが、上記処方指示書データ送信手段によって送信するコンタクトレンズのデータに対応するコンタクトレンズを上記処方予約手段によって予約された加盟施設に対して配送するための配送手続を行う配送補助手段を備える請求項３４、請求項３５又は請求項３６に記載のコンタクトレンズ選定システム。
【請求項３８】
上記管理サーバが、上記セルフ検眼装置の使用料に対する決済手続を行う使用料決済手段を備える請求項３１から請求項３７のいずれか１項に記載のコンタクトレンズ選定システム。
【請求項３９】
上記管理サーバが、上記セルフ検眼装置の使用料及び上記加盟施設において行われる処方を経て入手されるコンタクトレンズの購入代金を含めたシステム使用料に対し、一括して支払われるものとして決済手続を行うシステム使用料決済手段を備える請求項３４から請求項３７のいずれか１項に記載のコンタクトレンズ選定システム。
【手続補正２】
【補正対象書類名】明細書
【補正対象項目名】００１１
【補正方法】変更
【補正の内容】
【００１１】
上記課題を解決するためになされた発明は、
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と
を備え、
上記検眼データ取得手段が、上記ユーザの眼屈折率データを取得し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定するセルフ検眼装置である。
【手続補正３】
【補正対象書類名】明細書
【補正対象項目名】００１３
【補正方法】変更
【補正の内容】
【００１３】
当該セルフ検眼装置は、複数のコンタクトレンズの形状データを蓄積するデータベースと、上記検眼データと上記データベースに蓄積されるコンタクトレンズの形状データとに基づき、検眼データに適合する一又は複数のコンタクトレンズを選定するコンタクトレンズ選定手段とを備えている。当該セルフ検眼装置は、コンタクトレンズ選定手段によって、ユーザに適したコンタクトレンズを選定することができる。当該セルフ検眼装置は、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。
【手続補正４】
【補正対象書類名】明細書
【補正対象項目名】００１７
【補正方法】変更
【補正の内容】
【００１７】
当該セルフ検眼装置は、上記検眼データ取得手段が、上記ユーザの眼屈折率データを取得し、上記コンタクトレンズ選定手段が、上記眼屈折率データに基づいてコンタクトレンズの度数を決定する。これにより、ユーザに適したコンタクトレンズの度数を容易かつ迅速に決定することができる。
【手続補正５】
【補正対象書類名】明細書
【補正対象項目名】００１８
【補正方法】変更
【補正の内容】
【００１８】
当該セルフ検眼装置は、上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定する。これにより、コンタクトレンズ選定手段によって選定されるコンタクトレンズの度数の精度をさらに向上させることができる。
【手続補正６】
【補正対象書類名】明細書
【補正対象項目名】００３１
【補正方法】変更
【補正の内容】
【００３１】
また、上記課題を解決するためになされた管理サーバは、
当該セルフ検眼装置とネットワーク通信可能な管理サーバであって、
検眼データ及び上記コンタクトレンズ選定手段によって選定されたコンタクトレンズのデータをユーザ識別情報と関連付けて処方関連データとして受信する処方関連データ受信手段と、
上記処方関連データ受信手段によって受信した処方関連データに基づいて生成される処方指示書データをネットワーク送信する処方指示書データ送信手段と
を備えている。
【手続補正７】
【補正対象書類名】明細書
【補正対象項目名】００３３
【補正方法】変更
【補正の内容】
【００３３】
また、上記課題を解決するためになされた別の発明は、
ユーザの操作に基づいてこのユーザの角膜形状の少なくとも一部を測定し、この角膜形状に基づく検眼データを取得する検眼データ取得手段と、この検眼データをユーザ識別データと関連付けてネットワーク送信する検眼データ送信手段と、この検眼データとコンタクトレンズの形状データとに基づいて選定されたコンタクトレンズのデータを受信する第一のコンタクトレンズデータ受信手段と、この第一のコンタクトレンズデータ受信手段によって受信したコンタクトレンズのデータを表示するコンタクトレンズ表示手段とを備えるセルフ検眼装置とネットワーク通信可能な管理サーバであって、
複数のコンタクトレンズの形状データを蓄積するデータベースを備え、
上記セルフ検眼装置から送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備え、
上記検眼データ受信手段が、上記ユーザの眼屈折率データを受信し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定する管理サーバである。
当該管理サーバは、データベースに蓄積される複数のコンタクトレンズの形状データに基づいてユーザに適合する一又は複数のコンタクトレンズを選定することができる。当該管理サーバは、データベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。
【手続補正８】
【補正対象書類名】明細書
【補正対象項目名】００３７
【補正方法】変更
【補正の内容】
【００３７】
当該管理サーバは、上記検眼データ受信手段が、上記ユーザの眼屈折率データを受信し、上記コンタクトレンズ選定手段が、上記眼屈折率データに基づいてコンタクトレンズの度数を決定する。これにより、ユーザに適したコンタクトレンズの度数を容易かつ迅速に決定することができる。
【手続補正９】
【補正対象書類名】明細書
【補正対象項目名】００３８
【補正方法】変更
【補正の内容】
【００３８】
当該管理サーバは、上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味してコンタクトレンズの度数を決定する。これにより、コンタクトレンズ選定手段によって選定されるコンタクトレンズの度数の精度をさらに向上させることができる。
【手続補正１０】
【補正対象書類名】明細書
【補正対象項目名】００４５
【補正方法】変更
【補正の内容】
【００４５】
上記課題を解決するためになされたさらに別の発明は、
セルフ検眼装置と、このセルフ検眼装置とネットワーク通信可能な管理サーバとを備え、
上記セルフ検眼装置が、
ユーザの操作に基づいてこのユーザの角膜形状の少なくとも一部を測定し、この角膜形状に基づく検眼データを取得する検眼データ取得手段と、
上記検眼データ取得手段によって取得された検眼データをユーザ識別データと関連付けて上記管理サーバに送信する検眼データ送信手段と、
この検眼データとコンタクトレンズの形状データとに基づいて選定されたコンタクトレンズのデータを上記管理サーバから受信する第一のコンタクトレンズデータ受信手段と、
上記第一のコンタクトレンズデータ受信手段によって受信したコンタクトレンズのデータを表示するコンタクトレンズ表示手段と
を備え、
上記管理サーバが、
複数のコンタクトレンズの形状データを蓄積するデータベースと、
上記検眼データ送信手段によって送信された検眼データ及びユーザ識別データを受信する検眼データ受信手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズのデータを上記セルフ検眼装置に送信する第一のコンタクトレンズデータ送信手段と
を備え、
上記検眼データ受信手段が、上記ユーザの眼屈折率データを受信し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定するコンタクトレンズ選定システムである。
【手続補正１１】
【補正対象書類名】明細書
【補正対象項目名】００４９
【補正方法】変更
【補正の内容】
【００４９】
上記課題を解決するためのコンタクトレンズ選定システムとしては、
セルフ検眼装置と、このセルフ検眼装置とネットワーク通信可能な管理サーバと、このセルフ検眼装置及び管理サーバとネットワーク通信可能な複数の加盟施設端末とを備え、
上記セルフ検眼装置が、
複数のコンタクトレンズの形状データを蓄積するデータベースと、
ユーザの操作に基づいてこのユーザの角膜形状の少なくとも一部を測定し、この角膜形状に基づく検眼データを取得する検眼データ取得手段と、
上記検眼データと上記データベースに蓄積されるコンタクトレンズの形状データとに基づき、検眼データに適合する一又は複数のコンタクトレンズを選定するコンタクトレンズ選定手段と、
上記コンタクトレンズ選定手段によって選定されたコンタクトレンズを表示するコンタクトレンズ表示手段と、
上記検眼データ取得手段によって取得された検眼データ及び上記コンタクトレンズ選定手段によって選定されたコンタクトレンズのデータをユーザ識別データと関連付けて処方関連データとして上記管理サーバに送信する処方関連データ送信手段と
を備え、
上記検眼データ取得手段が、上記ユーザの眼屈折率データを取得し、
上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定し、
上記管理サーバが、
上記処方関連データ送信手段によって送信された処方関連データを受信する処方関連データ受信手段と、
上記処方関連データ受信手段によって受信した処方関連データに基づいて生成される処方指示書データを処方を行う加盟施設の加盟施設端末に送信する処方指示書データ送信手段と
を備え、
上記処方を行う加盟施設の加盟施設端末が、
上記処方指示書データ送信手段によって送信された処方指示書データを受信する処方指示書データ受信手段を備えるコンタクトレンズ選定システムも用いられる。
【手続補正１２】
【補正対象書類名】明細書
【補正対象項目名】００５１
【補正方法】変更
【補正の内容】
【００５１】
また、セルフ検眼装置と、このセルフ検眼装置とネットワーク通信可能な管理サーバと、このセルフ検眼装置及び管理サーバとネットワーク通信可能な複数の加盟施設端末とを備え、上記セルフ検眼装置が、ユーザの操作に基づいてこのユーザの角膜形状の少なくとも一部を測定し、この角膜形状に基づく検眼データを取得する検眼データ取得手段と、上記検眼データ取得手段によって取得された検眼データをユーザ識別データと関連付けて上記管理サーバに送信する検眼データ送信手段と、この検眼データとコンタクトレンズの形状データとに基づいて選定されたコンタクトレンズのデータを上記管理サーバから受信する第一のコンタクトレンズデータ受信手段と、上記第一のコンタクトレンズデータ受信手段によって受信した一又は複数のコンタクトレンズのデータを表示するコンタクトレンズ表示手段とを備え、上記管理サーバが、複数のコンタクトレンズの形状データを蓄積するデータベースと、上記検眼データ送信手段によって送信された検眼データ及びユーザ識別データを受信する検眼データ受信手段と、この検眼データと上記データベースに蓄積されるコンタクトレンズの形状データとに基づき、検眼データに適合する一又は複数のコンタクトレンズを選定するコンタクトレンズ選定手段と、上記コンタクトレンズ選定手段によって選定されたコンタクトレンズのデータを上記セルフ検眼装置に送信する第一のコンタクトレンズデータ送信手段と、上記検眼データ受信手段によって受信した検眼データ及び上記コンタクトレンズ選定手段によって選定されたコンタクトレンズのデータに基づいて生成される処方指示書データを処方を行う加盟施設の加盟施設端末に送信する処方指示書データ送信手段とを備え、上記検眼データ受信手段が、上記ユーザの眼屈折率データを受信し、上記コンタクトレンズ選定手段が、上記検眼データとコンタクトレンズの形状データとに基づき、ユーザの角膜表面とコンタクトレンズの裏面との間に形成される空間データを算出したうえ、この空間データをもとにこのユーザの角膜表面とコンタクトレンズの裏面との間に形成される涙液層のデータを取得し、上記涙液層の形状を加味して、上記眼屈折率データに基づいたコンタクトレンズの度数を決定し、上記処方を行う加盟施設の加盟施設端末が、上記処方指示書データ送信手段によって送信された処方指示書データを受信する処方指示書データ受信手段を備えるコンタクトレンズ選定システムは、新規のユーザであっても自らの操作により手軽に利用することができ、自分に合ったコンタクトレンズを知ることができる。当該コンタクトレンズ選定システムは、データベースに蓄積される複数のコンタクトレンズの形状データをもとにコンタクトレンズ選定手段がユーザに適合する一又は複数のコンタクトレンズを選定するので、このデータベースに、ソフトコンタクトレンズ、ハードコンタクトレンズ等、種々のコンタクトレンズの形状データを蓄積することにより、眼科医の技術不足を好適に補完することができ、ユーザにとって好適なコンタクトレンズを提供することができる。当該コンタクトレンズ選定システムは、処方指示書データ送信手段によって送信される処方指示書データを処方を行う加盟施設が利用するようにすれば、ユーザの処方時間の短縮及びこのユーザに対する処方の高度化を図ることができるとともに、このユーザのコンタクトレンズの購入手続をスムーズに行うことができる。
【国際調査報告】
2013094030.tif 000015
2013094030.tif 000016
2013094030.tif 000017
2013094030.tif 000018
2013094030.tif 000019